(57)【要約】  見積請求前に商品のおおよその目安価格をユーザに提示する。条件によって価格が変動する商品について、前記条件の入力を求める質問項目がユーザ端末に提示されるようにする制御と、前記条件によって価格が変動する商品の目安価格が前記ユーザ端末に提示されるようにする制御とを行う提示制御部と、前記質問項目に対する入力情報を取得する入力情報取得部と、取得された前記入力情報と合致する条件の実績情報を抽出し、抽出された前記実績情報に含まれる実績価格に基づいて前記目安価格を算出する目安価格算出部と、を備える。
2018051485.tif 000002
【特許請求の範囲】
【請求項１】
条件によって価格が変動する商品について、前記条件の入力を求める質問項目がユーザ端末に提示されるようにする制御と、前記条件によって価格が変動する商品の目安価格が前記ユーザ端末に提示されるようにする制御とを行う提示制御部と、
前記質問項目に対する入力情報を取得する入力情報取得部と、  
取得された前記入力情報と合致する条件の実績情報を抽出し、抽出された前記実績情報に含まれる実績価格に基づいて前記目安価格を算出する目安価格算出部と、
を備えた情報処理装置。
【請求項２】
前記入力情報取得部は、一部の前記質問項目に対する入力が行われるごとに前記入力情報を取得する
請求項１に記載の情報処理装置。
【請求項３】
前記目安価格算出部は、前記実績情報を商品提供者ごとに抽出し、抽出された前記実績情報に含まれる前記実績価格に基づいて前記商品提供者ごとに前記目安価格を算出する
請求項１に記載の情報処理装置。
【請求項４】
前記目安価格算出部は、前記実績情報を抽出し、抽出された前記実績情報に含まれる前記実績価格に基づいて前記目安価格として最大価格、最小価格、平均価格、および中央価格の全て又は一部を算出する
請求項１に記載の情報処理装置。
【請求項５】
前記目安価格算出部は、前記商品提供者について抽出された前記実績情報が所定数より少ない場合、該当する前記商品提供者について前記目安価格を算出しない
請求項３に記載の情報処理装置。
【請求項６】
前記目安価格算出部は、
抽出された前記実績情報に含まれる前記実績価格から金額上位の所定割合の実績価格を除いた集合における最大価格を前記最大価格として算出し、
抽出された前記実績情報に含まれる前記実績価格から金額下位の所定割合の実績価格を除いた集合における最小価格を前記最小価格として算出する
請求項４に記載の情報処理装置。
【請求項７】
前記提示制御部は、複数の前記商品提供者ごとに前記目安価格が算出された場合、前記目安価格に基づいて複数の前記目安価格の提示順序を決定する
請求項３に記載の情報処理装置。
【請求項８】
前記提示制御部は、前記条件ごとの前記目安価格の変動の大きさに基づいて前記質問項目の提示順序を決定する
請求項１に記載の情報処理装置。
【請求項９】
前記提示制御部は、前記条件のうち少なくとも一つの前記商品提供者が制限を設ける前記条件の前記質問項目の提示優先度を高くする
請求項３に記載の情報処理装置。
【請求項１０】
前記提示制御部は、複数の前記商品提供者の間で重複度合いが高い前記条件の前記質問項目の提示優先度を高くする
請求項３に記載の情報処理装置。
【請求項１１】
情報処理装置に実行させる情報処理方法であって、
条件によって価格が変動する商品について、前記条件の入力を求める質問項目がユーザ端末に提示されるように制御を行う第１の提示制御ステップと、
前記質問項目に対する入力情報を取得する取得ステップと、  
取得された前記入力情報と合致する条件の実績情報を抽出し、抽出された前記実績情報に含まれる実績価格に基づいて目安価格を算出する算出ステップと、
前記目安価格が前記ユーザ端末に提示されるように制御を行う第２の提示制御ステップと、
を備えた情報処理方法。
【請求項１２】
条件によって価格が変動する商品について、前記条件の入力を求める質問項目がユーザ端末に提示されるように制御を行う第１の提示制御手順と、
前記質問項目に対する入力情報を取得する取得手順と、  
取得された前記入力情報と合致する条件の実績情報を抽出し、抽出された前記実績情報に含まれる実績価格に基づいて目安価格を算出する算出手順と、
前記目安価格が前記ユーザ端末に提示されるように制御を行う第２の提示制御手順と、
を情報処理装置に実行させるプログラム。
【請求項１３】
条件によって価格が変動する商品について、前記条件の入力を求める質問項目がユーザ端末に提示されるように制御を行う第１の提示制御手順と、
前記質問項目に対する入力情報を取得する取得手順と、  
取得された前記入力情報と合致する条件の実績情報を抽出し、抽出された前記実績情報に含まれる実績価格に基づいて目安価格を算出する算出手順と、
前記目安価格が前記ユーザ端末に提示されるように制御を行う第２の提示制御手順と、
を情報処理装置に実行させるプログラムを記憶した記憶媒体。
【発明の詳細な説明】
【技術分野】
【０００１】
本発明は、商品の価格に関する情報を処理し、ユーザと商品提供者の間で見積請求を仲介する情報処理装置、情報処理方法、プログラムおよび記憶媒体についての技術分野に関する。
【背景技術】
【０００２】
インターネット等の通信網を介した電子商取引において、保険商品や引越サービスなど年齢や契約日等の条件によって価格が変動する商品が取引されている。このような商品を購入するユーザには、希望する条件での商品のおおよその価格を事前に知りたいというニーズがある。そこで、ユーザは個別の商品提供者に見積を請求して、得られた複数の見積価格を比較してから商品を購入することが一般的である。しかし、複数の商品提供者に見積を請求したり、複数の見積価格を比較したりすることは、ユーザにとって負担である。
上記したユーザの負担を減らすために、入力された条件に基づく見積請求を１又は複数の商品提供者に一括送信し、各商品提供者からの見積価格がユーザに送信されるようにする仲介システムが普及している（例えば特許文献１）。また、売買交渉の過程で、ユーザの希望に合致する販売価格を提示する技術が知られている（特許文献２）。
【先行技術文献】
【特許文献】
【０００３】
【特許文献１】特開２００１−３２５４８６号公報
【特許文献２】特開２００８−０５２６６４号公報
【発明の概要】
【発明が解決しようとする課題】
【０００４】
しかし、従来のシステムでは、ユーザが見積請求を行ってから各商品提供者から見積価格を得るまでに時間がかかっていた。また、ユーザは商品のおおよその相場価格を知らない状態でやみくもに見積を請求せざるを得ないため、予算を外れる価格帯の商品提供者に対して見積を請求するなど、必要以上に多くの見積請求が行われるという問題もあった。
そこで、本発明は、商品のおおよその目安価格を見積請求前にユーザに提示することを目的とする。
【課題を解決するための手段】
【０００５】
本発明に係る情報処理装置は、条件によって価格が変動する商品について、前記条件の入力を求める質問項目がユーザ端末に提示されるようにする制御と、前記条件によって価格が変動する商品の目安価格が前記ユーザ端末に提示されるようにする制御とを行う提示制御部と、前記質問項目に対する入力情報を取得する入力情報取得部と、取得された前記入力情報と合致する条件の実績情報を抽出し、抽出された前記実績情報に含まれる実績価格に基づいて前記目安価格を算出する目安価格算出部と、を備える。
これにより、ユーザが実際に見積を請求する前に、おおよその目安価格を提示することができる。【０００６】
上記した情報処理装置の前記入力情報取得部は、一部の前記質問項目に対する入力が行われるごとに前記入力情報を取得することが望ましい。
これにより、ユーザは入力の都度、入力条件に合致する目安価格を知ることができる。【０００７】
上記した情報処理装置の前記目安価格算出部は、前記実績情報を商品提供者ごとに抽出し、抽出された前記実績情報に含まれる前記実績価格に基づいて前記商品提供者ごとに前記目安価格を算出することが望ましい。
これにより、ユーザは商品提供者ごとの目安価格を知ることができる。  【０００８】
上記した情報処理装置の前記目安価格算出部は、前記実績情報を抽出し、抽出された前記実績情報に含まれる前記実績価格に基づいて前記目安価格として最大価格、最小価格、平均価格、および中央価格の全て又は一部を算出することが望ましい。
これにより、ユーザは多様な目安価格を知ることができる。【０００９】
上記した情報処理装置の前記目安価格算出部は、前記商品提供者について抽出された前記実績情報が所定数より少ない場合、該当する前記商品提供者について前記目安価格を算出しないことが望ましい。
これにより、実績の低い商品提供者の目安価格が提示されないため、提示される目安価格の信頼性を高めることができる。【００１０】
上記した情報処理装置の前記目安価格算出部は、抽出された前記実績情報に含まれる前記実績価格から金額上位の所定割合の実績価格を除いた集合における最大価格を前記最大価格として算出し、抽出された前記実績情報に含まれる前記実績価格から金額下位の所定割合の実績価格を除いた集合における最小価格を前記最小価格として算出することが望ましい。
これにより、実績から特殊な事例が除かれて、一般的なユーザの参考に堪える目安価格を提示することができる。【００１１】
上記した情報処理装置の前記提示制御部は、複数の前記商品提供者ごとに前記目安価格が算出された場合、前記目安価格に基づいて複数の前記目安価格の提示順序を決定することが望ましい。
これにより、ユーザにとって利用価値の高い提示を実現することができる。【００１２】
上記した情報処理装置の前記提示制御部は、前記条件ごとの前記目安価格の変動の大きさに基づいて前記質問項目の提示順序を決定することが望ましい。
これにより、入力された条件が少ない状態でも、ユーザの参考になる目安価格を提示することができる。【００１３】
上記した情報処理装置の前記提示制御部は、前記条件のうち少なくとも１つの前記商品提供者が制限を設ける前記条件の前記質問項目の提示優先度を高くすることが望ましい。
これにより、早い段階で実績情報を絞込むことができる。【００１４】
上記した情報処理装置の前記提示制御部は、複数の前記商品提供者の間で重複度合いが高い前記条件の前記質問項目の提示優先度を高くすることが望ましい。
これにより、複数の商品提供者が見積算定において必要とする条件をユーザにより確実に入力させることができる。【００１５】
本発明に係る情報処理方法は、条件によって価格が変動する商品について、前記条件の入力を求める質問項目がユーザ端末に提示されるように制御を行う第１の提示制御ステップと、前記質問項目に対する入力情報を取得する取得ステップと、取得された前記入力情報と合致する条件の実績情報を抽出し、抽出された前記実績情報に含まれる実績価格に基づいて目安価格を算出する算出ステップと、
前記目安価格が前記ユーザ端末に提示されるように制御を行う第２の提示制御ステップと、を備えたものである。
この情報処理方法により、情報処理装置によって、商品のおおよその目安価格を見積請求前にユーザに提示することができる。
本発明に係るプログラムは、上記各ステップに相当する手順を情報処理装置に実行させるプログラムである。本発明に係る記憶媒体は、上記プログラムを記憶したものである。これらにより上述の情報処理装置の処理を実現する。
【発明の効果】
【００１６】
本発明によれば、商品のおおよその目安価格を見積請求前にユーザに提示することができる。
【図面の簡単な説明】
【００１７】
【図１】本発明の実施の形態の情報処理装置を含む全体構成を示す説明図である。
【図２】本実施の形態のコンピュータ装置のブロック図である。
【図３】本実施の形態の商品紹介サーバの機能構成を示す図である。
【図４】本実施の形態の実績情報データベース（ＤＢ）の例を示す図である。
【図５】本実施の形態の提供者ＤＢの例を示す図である。
【図６】本実施の形態における各端末間の処理の流れの説明図である。
【図７】先頭ページの例を示す図である。
【図８】次ページの例を示す図である。
【図９】確認ページの例を示す図である。
【図１０】第１の実施の形態の商品紹介サーバの処理を示すフローチャートである。
【図１１】目安価格算出処理の例を示すフローチャートである。
【図１２】各種目安価格算出処理の例を示すフローチャートである。
【図１３】目安価格算出処理の第１と第２の例を示すフローチャートである。
【図１４】質問項目選択処理の例を示すフローチャートである。
【図１５】優先度算出処理の例を示すフローチャートである。
【図１６】次ページの生成・送信処理を示すフローチャートである。
【図１７】第２の実施の形態の入力ページの例を示す図である。
【図１８】第２の実施の形態の依頼ページの例を示す図である。
【図１９】第２の実施の形態の処理の流れを示すフローチャートである。
【図２０】変形例における入力途中の入力ページの表示例を示す図である。
【発明を実施するための形態】
【００１８】
以下、実施の形態を次の順序で説明する。
＜１．全体構成＞
＜２．ハードウェア構成＞
＜３．商品紹介サーバおよびＤＢ＞
＜４．第１の実施の形態＞
［４−１．全体の流れ］
［４−２．商品紹介サーバの処理］
［４−３．目安価格算出処理］
［４−４．質問項目選択処理］
［４−５．優先度算出処理］
［４−６．次ページの生成・送信処理］
＜５．第２の実施の形態＞
［５−１．全体の流れ］
［５−２．商品紹介サーバの処理］
＜６．変形例＞
＜７．まとめ＞
＜８．プログラムおよび記憶媒体＞
【００１９】
以下の説明にあたって、条件により価格が変動する商品として自動車保険を例に挙げる。この場合、商品提供者とは保険会社であり、自動車保険の価格（月々の保険料）を左右する条件としては、例えば、年齢、車種、免許証の種類、走行距離などが考えられる。複数の保険会社によって、見積算定に必要な条件は異なることがある。
また、商品についてユーザが入力した条件に応じた目安価格を提示し、入力条件に基づく見積を商品提供者依頼するためのポータルサイトとして、商品紹介サーバ１が運営する見積サイトを例に挙げる。
さらに、目安価格とは、ユーザが入力した条件におけるその商品のおおよその価格であり、入力条件と同じ条件で成約した過去の契約価格に基づいて算出される。例えば、ユーザが入力した条件と同じ条件の契約における平均価格、中央価格、最大価格、最小価格などが目安価格となる。目安価格は、提供者に見積請求することで得られる正確な見積価格とは異なるが、過去の実績に基づいた価格である。したがって、ユーザが見積依頼を行う提供者を選択する際に、目安価格は参考情報として利用される。
【００２０】
＜１．全体構成＞
本発明の情報処理装置を含む全体構成を図１に示す。
商品紹介サーバ１は、通信ネットワーク２を介して、少なくとも１つのユーザ端末３等の端末と相互に通信可能な状態で接続されている。また、商品紹介サーバ１は、少なくとも１つの提供者端末４等の端末とも相互に通信可能な状態で接続されている。
さらに、商品紹介サーバ１は、過去に成約した契約に関する実績情報が記憶される実績情報ＤＢ（Database）５０、商品の提供者に関する情報が記憶される提供者ＤＢ５１、見積サイトを構成する各種ウェブページのウェブページデータが記憶されるウェブページＤＢ５２と接続されている。
なお、商品紹介サーバ１は、本発明の情報処理装置の実施の形態に相当する。
【００２１】
商品紹介サーバ１は見積サイトを運営し、ユーザが入力した条件に応じた目安価格を算出する処理や、ユーザの操作に応じて提供者に見積依頼を送信する処理などを行う情報処理装置である。具体的な構成に関しては後述する。
【００２２】
通信ネットワーク２の構成は特に限定されるものではなく、例えば、インターネット、イントラネット、エキストラネット、ＬＡＮ（Local Area Network）、ＣＡＴＶ（Community Antenna TeleVision）通信網、仮想専用網（Virtual Private Network）、電話回線網、移動体通信網、衛星通信網などが想定される。
また通信ネットワーク２の全部又は一部を構成する伝送媒体についても多様な例が想定される。例えばＩＥＥＥ（Institute of Electrical and Electronics Engineers）１３９４、ＵＳＢ（Universal Serial Bus）、電力線搬送、電話線などの有線でも、ＩｒＤＡ（Infrared Data Association）のような赤外線、ブルートゥース（登録商標）、８０２．１１無線、携帯電話網、衛星回線、地上波デジタル網などの無線でも利用可能である。
【００２３】
ユーザ端末３は、見積サイトを閲覧するユーザによって使用される情報処理装置である。ユーザはユーザ端末３を介して見積サイトにアクセスし、各種条件の入力および見積依頼を行う。
提供者端末４は、見積サイトと提携する商品提供者（保険会社）が使用する情報処理装置である。保険会社は、提供者端末４を介して見積サイトに見積算定に必要な条件を登録することで、ユーザからの見積請求を得ることができる。
なお、図示は省略したが、提供者端末４は、提供する商品についての具体的な内容（保険プラン）、商品の価格（月々の保険料）、価格を左右する契約条件、契約条件に即して商品の価格を計算する算出アルゴリズム等の情報が記録された商品ＤＢを有し、適宜情報の送受信を行う。
ユーザ端末３および提供者端末４では、必要に応じて各種の送受信処理などが実行される。また、ユーザ端末３や提供者端末４は、例えば、通信機能を備えたＰＣ（Personal Computer）やフィーチャーフォンやＰＤＡ（Personal Digital Assistant）、あるいは、スマートフォンやタブレット端末などのスマートデバイスなどである。
【００２４】
＜２．ハードウェア構成＞
続いて図１に示した商品紹介サーバ１、通信ネットワーク２、ユーザ端末３、提供者端末４を構成する情報処理装置のハードウェア構成を図２に示す。商品紹介サーバ１、通信ネットワーク２、ユーザ端末３、提供者端末４として示した各装置は、情報処理および情報通信が可能な図２に示すようなコンピュータ装置として実現できる。
【００２５】
図２において、コンピュータ装置のＣＰＵ（Central Processing Unit）１０１は、ＲＯＭ( Read Only Memory)１０２に記憶されているプログラム、又は記憶部１０８からＲＡＭ( Random Access Memory )１０３にロードされたプログラムにしたがって各種の処理を実行する。ＲＡＭ１０３にはまた、ＣＰＵ１０１が各種の処理を実行する上において必要なデータなども適宜記憶される。
ＣＰＵ１０１、ＲＯＭ１０２、およびＲＡＭ１０３は、バス１０４を介して相互に接続されている。このバス１０４には、入出力インターフェース１０５も接続されている。
入出力インターフェース１０５には、入力部１０６、出力部１０７、記憶部１０８、通信部１０９が接続されている。
入力部１０６はキーボード、マウス、タッチパネルなどにより構成される。
出力部１０７はＬＣＤ（Liquid Crystal Display）、ＣＲＴ（Cathode Ray Tube）、有機ＥＬ（Electroluminescence）パネルなどよりなるディスプレイ、並びにスピーカなどにより構成される。
記憶部１０８はＨＤＤ（Hard Disk Drive）やフラッシュメモリ装置などにより構成される。
通信部１０９はネットワーク１を介しての通信処理や機器間通信を行う。
入出力インターフェース１０５にはまた、必要に応じてメディアドライブ１１０が接続され、磁気ディスク、光ディスク、光磁気ディスク、あるいは半導体メモリなどのリムーバブルメディア１１１が適宜装着され、リムーバブルメディア１１１に対する情報の書込や読出が行われる。
【００２６】
このようなコンピュータ装置では、通信部１０９による通信によりデータやプログラムのアップロード、ダウンロードが行われる。またリムーバブルメディア１１１を介したデータやプログラムの受け渡しが可能である。
ＣＰＵ１０１が各種のプログラムに基づいて処理動作を行うことで、商品紹介サーバ１、通信ネットワーク２、ユーザ端末３、提供者端末４としての必要な情報処理や通信が実行される。
なお、商品紹介サーバ１、通信ネットワーク２、ユーザ端末３、提供者端末４を構成する情報処理装置は、図２のようなコンピュータ装置が単一で構成されることに限らず、複数のコンピュータ装置がシステム化されて構成されてもよい。複数のコンピュータ装置は、ＬＡＮ等によりシステム化されていてもよいし、インターネット等を利用したＶＰＮ等により遠隔地に配置されたものでもよい。複数の情報処理装置には、クラウドコンピューティングサービスによって利用可能なサーバ群（クラウド）としての情報処理装置が含まれてもよい。
【００２７】
＜３．商品紹介サーバおよびＤＢ＞
図３に１又は複数の情報処理装置で構成される商品紹介サーバ１としての機能構成および各種のＤＢを示す。
【００２８】
図３に示すように、商品紹介サーバ１は、提示制御部１ａ、入力情報取得部１ｂ、目安価格算出部１ｃ、サイト管理部１ｄを備えている。
【００２９】
提示制御部１ａは、ユーザの操作に応じて、見積サイトを構成する各種ウェブページがユーザ端末３に提示されるように制御を行う。即ち、提示制御部１ａは各種ウェブページを生成し、ユーザ端末３に送信する処理を実行する。
提示制御部１ａは、商品の価格を変動させる条件の入力要求である質問項目と、該質問項目に対する入力欄とがユーザ端末３に提示されるように制御を行う。即ち、先頭ページや次ページなどのウェブページには各種条件の質問項目と入力欄が設けられており、提示制御部１ａは、質問項目、入力欄等のデータを用いてウェブページを生成し、ユーザ端末３に送信する。
本実施の形態における提示制御部１ａは、具体的には、「年齢」、「車種」、「走行距離」、「免許証」等の条件についての質問項目と入力欄とを提示させる制御を行う。
【００３０】
また、提示制御部１ａは、入力条件に応じた目安価格がユーザ端末３に提示されるように制御を行う。即ち、提示制御部１は、目安価格のデータを用いてウェブページを生成し、ユーザ端末３に送信する。
なお、複数の提供者について目安価格が算出された場合、提示制御部１ａは、ユーザ端末３上で複数の目安価格を提示する順序を決定する処理も行い、目安価格と共に提示順序のデータを用いてウェブページを生成し、ユーザ端末３に送信する。
【００３１】
入力情報取得部１ｂは、ユーザ端末３を介してユーザが入力欄に対して入力した入力情報を取得する処理を実行する。例えば、「年齢」条件の入力欄に対して入力された「３７」などの入力情報が取得される。
入力情報は、キーボードなどの入力部を通じて入力されたものでもよく、いわゆるドロップダウンリスト形式で提示される複数の選択肢からクリック操作などで選択されたものでもよい。また、マイクロフォンなどの入力部を通じて入力された音声情報でもよい。
さらに、入力情報取得部１ｂは取得した入力情報を基に、入力済の条件について入力済項目リストを作成する処理を実行してもよい。
【００３２】
目安価格算出部１ｃは、入力情報取得部１ｂが取得した入力情報（条件）と合致する条件を有する実績情報を実績情報ＤＢから抽出し、抽出した実績情報に含まれる実績価格に基づいて目安価格を算出する。目安価格には、例えば、最大価格、最小価格、平均価格、中央価格などがあり、これらの全て又は一部が算出される。
本実施の形態では、目安価格算出部１ｃは、入力情報に合致する条件を有する実績情報を商品提供者ごとに抽出する。したがって、複数の商品提供者がいる場合は、複数の目安価格が算出される。これにより、各商品提供者の提供する商品のおおよその価格帯を知ることができる。
なお、目安価格算出部１ｃは、商品提供者ごとの目安価格を算出するほか、複数の商品提供者実績を反映する総合目安価格を算出してもよい。総合目安価格により、ユーザは市場における商品のおおよその相場価格を知ることができる。
【００３３】
サイト管理部１ｄは、商品紹介サーバ１が見積サイトを提供するために必要なウェブページデータ等の諸情報の管理を行う。サイト管理部１ｄは、例えば、提供者端末４あるいは他の情報処理装置と見積サイトの提供に必要な各種情報の送受信を行い、取得した情報を各ＤＢに記憶することによって見積サイトを管理する。
具体的には、サイト管理部１ｄは、ユーザ端末３あるいは他の情報処理装置から実績価格等の情報を取得し、実績情報として実績情報ＤＢ５１に記憶する。さらに、各提供者端末４から各商品提供者が見積算定に必要とする条件等の情報を取得し、提供者情報として提供者ＤＢ５１に記憶する。これらのＤＢ、実績情報および提供者情報の詳細については後述する。
さらに、サイト管理部１ｄは、ユーザの操作に応じて提供者端末４に見積依頼を送信する処理も実行する。
【００３４】
商品紹介サーバ１としての各機能は、情報処理装置においてＣＰＵ１０１でプログラムに応じて実行される処理により実現される機能である。但し、以下説明する全部又は一部の各構成の処理をハードウェアにより実現してもよい。
また各機能をソフトウェアで実現する場合に、各機能がそれぞれ独立したプログラムで実現される必要はない。１つのプログラムにより複数の機能の処理が実行されてもよいし、１つの機能が複数のプログラムモジュールの連携で実現されてもよい。
また各機能は複数の情報処理装置に分散されていてもよい。さらに機能の１つが、複数の情報処理装置によって実現されてもよい。
【００３５】
続いて各種ＤＢについて説明する。商品紹介サーバ１がアクセスするＤＢとして、図示のように実績情報ＤＢ５０、提供者ＤＢ５１、ウェブページＤＢ５２がある。
これらの各ＤＢ（５０〜５２）は、商品紹介サーバ１がアクセス可能とされていればどのような形態で実現されていてもよい。例えば商品紹介サーバ１と同一システム内の記憶部に各ＤＢ（５０〜５２）の全てが形成されていてもよいし、各ＤＢ（５０〜５２）の一部又は全部が別体、遠隔地等のコンピュータシステムに設けられていてもよい。もちろん各ＤＢ（５０〜５２）が１つの装置（例えば１つのＨＤＤ等）内に形成されている必要はない。また各ＤＢ（５０〜５２）のそれぞれが、それぞれ１つのＤＢとして構成される必要もない。例えば提供者ＤＢ５１として記憶される情報が、複数の提供者ＤＢ（例えば各提供者ごとの提供者ＤＢなど）により記憶管理されてもよい。以下説明する各ＤＢ（５０〜５２）は、実施の形態の処理に関連する情報の記憶部を、それぞれ１つのＤＢの形態で例示したものに過ぎない。
【００３６】
実績情報ＤＢ５０には、個々の契約についての情報として、商品提供者、実績価格、契約の際に入力された条件等の実績情報が記憶される。図４に実績情報ＤＢ５０の一例を示す。具体的には、実績情報とは見積サイトを通じて過去に成約した契約実績の情報であり、実績情報ＤＢ５０には実績情報ＩＤに対応して、提供者ＩＤ、実績価格、契約条件等が記憶される。
実績情報ＩＤは、過去に成約した個々の契約に発行される識別情報である。本実施例においては、１件の自動車保険契約につき、１つの実績情報ＩＤが発行される。図４においては、各実績情報ＩＤはＲ００１，Ｒ００２・・・として示している。
提供者ＩＤは、保険商品を提供する各商品提供者に発行される識別情報である。提供者ＤＢが管理する提供者ＩＤの詳細については後述する。１件の契約に対応する実績情報ＩＤに対して、該契約を受付けた商品提供者に応じた１つの提供者ＩＤが紐付けられて記憶されている。
実績価格とは、過去の契約において実際に成約した価格である。実績価格についての情報は、例えば、見積サイトを利用した契約者のユーザ端末３もしくは商品提供者の提供者端末４から商品紹介サーバ１に成約後に通知されることで得られる。１件の契約に対応する実績情報ＩＤに対して、１つの実績価格が紐付けられて記憶されている。
契約条件とは、価格の変動に係わる条件について、過去の契約者が契約した実際の条件である。契約条件についての情報は、例えば、契約者が見積サイトで入力した情報を記憶しておくことで得られる。また、契約条件についての情報は、見積サイトを利用した契約者のユーザ端末３から商品紹介サーバ１に成約後に通知されてもよい。
即ち本実施の形態においては、過去に成約した個々の自動車保険契約に対して実績情報ＩＤが発行され、自動車保険会社の提供者ＩＤ、契約した月々の保険料としての実績価格、「年齢」、「車種」、「走行距離」、「免許証」等の各条件に対してユーザが実際に入力した条件（例えば、それぞれ、「５７」、「普通」、「１１０００ｋｍ」、「ゴールド」）が紐付けられて記憶されている。
【００３７】
提供者ＤＢ５１には、商品紹介サーバ１に登録された商品提供者についての情報等が記憶される。図５に提供者ＤＢ５１の一例を示す。具体的には、提供者ＤＢ５１には、提供者ＩＤに対応して商品提供者の名称、ＵＲＬ（Uniform Resource Locator）情報、各条件についてのステータス等の情報が記憶される。
提供者ＩＤは、商品紹介サーバに登録された各商品提供者に発行される識別情報である。本実施例においては、自動車保険会社が商品提供者として登録され、提供者ＩＤが付与されている。図５においては、各提供者ＩＤをＰ００１，Ｐ００２・・・として示している。
ＵＲＬは、各提供者のウェブサイトであって、ユーザの操作に応じて、ユーザを各提供者のウェブサイトに誘導する場合などに用いられる。
各条件についてのステータスとは、商品紹介サーバ１が各商品提供者の要件に応じた見積請求を行うために用いる情報である。各商品提供者の商品提供者端末４は、各商品提供者が見積算定に必要とする条件、受付可能な条件の一覧等の情報を商品紹介サーバ１に予め送信しておく。商品紹介サーバ１は、各商品提供者の商品提供者端末４から受信した情報に基づいて各条件の種々のステータスを生成し、各条件のステータスを提供者ＩＤに紐付けて提供者ＤＢ５１に記憶する。図５では、各商品提供者の見積算定に係わる要否ステータスおよび見積受付に係わる制限ステータスが例示されている。
【００３８】
以下、各ステータスについて説明する。
まず、要否ステータスとは、提供者が見積を算定する際に必要な条件かを示す情報である。例えば、提供者ごとに、各条件について入力が見積算定に必要な場合は「必要」、必要でない場合は「不要」のステータスが記憶される。
例えば、図５において提供者ＩＤがＰ００１である商品提供者は、「車種」「走行距離」および「免許証」条件の入力が「必要」とされているが、「年齢」条件は「不要」である。つまり提供者（Ｐ００１）は、「走行距離」「車種」および「免許証」の条件が入力されていれば、見積請求に応じて入力条件に基づいて見積を算定することができる。
【００３９】
また、提供者ＤＢ５１には各条件について商品提供者間における重複度合いが記憶される。重複度合いとは、提供者ＤＢ５１に登録された提供者の間で、各条件が見積算出において「必要」とされている割合を示す指数である。例えば、図５で条件「免許証」の重複度合いは５０パーセントであり、登録された提供者の５０パーセントが条件「免許証」を見積算定の際に必要とすることを示している。
【００４０】
続いて制限ステータスとは、提供者がユーザの希望する条件を受付できない場合があるか否かを示す情報である。例えば、図５では受付できない場合がある条件に「※」を付して該条件に制限が設けられた状態を示している。
提供者がユーザの希望する条件を受付できない場合について例を挙げる。自動車保険会社のなかには、普通乗用車の保険は提供しているが、トラック等の大型車の保険は提供していない保険会社（図５では提供者ＩＤがＰ００２の提供者）がある。つまり、ユーザが条件「車種」の質問項目に対して「大型車」を入力した場合、提供者Ｐ００２は大型車に対応する保険を提供していないため、ユーザの希望条件を受付できない。そこで、提供者Ｐ００２については、入力された情報次第で受付できない場合があるとして、条件「車種」に制限を設けているという制限ステータス（「※」）が記憶される。
【００４１】
ウェブページＤＢ５２には、商品紹介サーバ１がユーザに提供する見積サイトの各種目安価格算出ウェブページのデータが記憶される。見積サイトを構成する各種の目安価格算出ウェブページには、例えば先頭ページ、次ページ、終了ページなどがある。各ウェブページについての詳細は後述する。
ウェブページデータとしては、ウェブページのＵＲＬ情報と各ウェブページ上に配置されるオブジェクト（画像やテキストやバナーなど）の配置情報が記憶される。配置情報とは、ウェブページ上における各オブジェクトの配置態様（位置や大きさ、色等）が記載された情報である。
なお、ウェブページＤＢ５２に記憶される情報は、例えば、ＨＴＭＬ（Hyper Text Markup Language）やＸＨＴＭＬ（Extensible HyperText Markup Language）などの構造化文書ファイルで記憶されてもよい。
【００４２】
実績情報ＤＢ５０、提供者ＤＢ５１、ウェブページＤＢ５２は、例えば以上のように情報が記憶される。もちろん図示していない情報がさらに含まれていてもよいし、図示した情報が全て含まれる必要もない。
【００４３】
商品紹介サーバ１は、これらのＤＢに対して逐次アクセスを行い、新規記憶、更新、読出を行うことになる。商品紹介サーバ１は、例えば、自動車保険会社が見積サイトに新規に登録する度に、自動車保険会社の提供者端末４から送信された情報を当該自動車保険会社の提供者情報として提供者ＤＢ５１に新規に記録する。また、商品紹介サーバ１は、提供者端末４から定期的にもしくは不定期に情報を受信して、受信した情報を基に実績情報を生成し、実績情報ＤＢ５０に記憶してもよい。
【００４４】
なお、商品紹介サーバ１が保有する各種ＤＢと商品提供者端末４が保有するＤＢとは互いに独立しており、商品紹介サーバ１は商品提供者端末４が有する各種ＤＢに記憶された情報に直接アクセスすることができない。
具体的には、各商品提供者の提供者端末４が保有する商品ＤＢには、提供する商品についての具体的な内容（保険プラン）、商品の価格（月々の保険料）、価格を左右する契約条件、契約条件に即して商品の価格を計算する算出アルゴリズムが記憶されているが、商品紹介サーバ１はこれらの情報にアクセスすることができない。
【００４５】
＜４．第１の実施の形態＞
商品紹介サーバ１はユーザ端末３の操作に応じて入力欄と目安価格の提示制御、目安価格の算出および見積依頼の送信を行う。以下、第１の実施の形態としての全体の流れ、商品紹介サーバ１の処理の流れおよび詳細な処理例について説明する。
【００４６】
［４−１．全体の流れ］
図６は第１（および後述の第２）の実施の形態における、ユーザ端末３と商品紹介サーバ１との各情報処理装置間の処理の流れの概要を示している。具体的には、ユーザ端末３による商品紹介サーバ１への先頭ページ要求の送信から、商品紹介サーバ１による提供者端末４への見積依頼情報の送信までの処理の流れである。
【００４７】
ユーザ端末３はステップＳ２１において、先頭ページ要求処理を実行する。即ち、自動車保険の見積を希望するユーザの操作に応じて、見積サイトの先頭ページを求める先頭ページ要求を商品紹介サーバ１に送信する。
このときのユーザの操作としては、ウェブブラウザの所定の入力欄に見積サイトのウェブページに対応したＵＲＬ情報を入力する操作や、ウェブページ表示枠に表示された閲覧する見積サイトのウェブページのＵＲＬ情報が紐付けられたボタンをマウスを用いて押下する操作などである。
【００４８】
ユーザ端末３から先頭ページ要求を受信した商品紹介サーバ１は、ステップＳ１１において、ユーザ端末３へ先頭ページを送信する処理を実行する。
図７に先頭ページの一例を示す。先頭ページには、条件の入力要求である質問項目Ｑ１、質問項目Ｑ１に応じた入力を行う入力欄Ｐ１、後述する次ページ予要求するための「次へ」ボタンＰ２等が設けられている。
つまり、送信される先頭ページのウェブページデータは少なくとも質問項目Ｑ１等のデータを有し、ユーザ端末３には質問項目Ｑ１が提示される。例えば、図７の先頭ページにおいては、「年齢」条件の入力を要求する質問項目Ｑ１が提示されている。
【００４９】
商品紹介サーバ１から先頭ページを受信したユーザ端末３は、ユーザに先頭ページを提示する。さらに、ユーザ端末３はユーザの入力に応じてステップＳ２２で次ページ要求処理を実行する。この際、ユーザ端末３は、次ページ要求と共にユーザの入力情報が商品紹介サーバ１に送信する。  
具体的には、ユーザは先頭ページの質問項目Ｑ１に応じた入力欄Ｐ１に対して入力を行い、送信操作を行う。送信操作は、先頭ページに設けられた送信ボタン（「次へ」ボタンＰ２）を押下する操作、もしくは入力項目を選択するクリック操作や入力欄Ｐ１への文字入力を確定するＥｎｔｅｒキー押下などの入力欄への入力完了操作等である。
なお、次ページ要求には、通常の次ページを求める要求と、確認ページを求める要求とがある。次ページは、ユーザが質問項目に応じた条件の入力、もしくは商品提供者の選択等の入力を行うウェブページである。他方、確認ページは入力情報を確認するためのウェブページである。
【００５０】
ユーザ端末３から次ページ要求を受信した商品紹介サーバ１は、まずステップＳ１２において入力情報取得処理を実行する。入力情報取得処理は、１つの入力欄に対するユーザの入力情報を取得する処理となる。
続いて、商品紹介サーバ１はステップＳ１３において目安価格算出処理を実行する。目安価格算出処理は、入力情報に対応する実績情報を商品提供者ごとに実績情報ＤＢから抽出し、実績情報に含まれる実績価格を基に各種目安価格を算出する処理である。各種目安価格とは、各商品提供者ごとの平均価格、中央価格、最大価格、最小価格等である。
また、商品紹介サーバ１は、各商品提供者ごとの目安価格のほか、複数の商品提供者の実績を反映する総合目安価格を算出してもよい。即ち、商品紹介サーバ１は、総合目安価格として、複数の商品提供者の実績情報を基に算出される平均価格、中央価格、最大価格、最小価格等の目安価格を算出する。
【００５１】
目安価格を算出した商品紹介サーバ１は、ステップＳ１４において次ページの生成・送信処理を行う。次ページの生成・送信処理は、ユーザ端末３に要求されたウェブページを生成し、ユーザ端末３に送信する処理である。
次ページの生成・送信処理には、通常の次ページを生成する場合と、確認ページを生成する場合がある。
【００５２】
まず、通常の次ページを生成・送信する場合を説明する。商品紹介サーバ１は、次ページ上に目安価格を提示させ、さらにユーザが新たな新たな入力を行うための質問項目を提示させる。即ち、ユーザは次ページ上で新たな質問項目に対する入力、もしくは見積依頼を行う商品提供者の選択等の入力操作を行う。
上記の次ページをユーザ端末３に提示させるために、商品紹介サーバ１は、目安価格、質問項目、入力済項目リスト等のデータを用いて次ページを生成し、ユーザ端末３に送信する。商品紹介サーバ１は、これらのデータを生成する処理も適宜実行する。即ち、後述する提示順序決定処理等を実行する。  
【００５３】
図８に、次ページの一例を示す。図８に示した次ページには、ユーザの入力情報を表示する入力済項目表示領域Ａ１、複数の商品提供者についての目安価格を表示する総合目安価格表示領域Ａ２、各商品提供者の目安価格を表示する各社目安価格表示領域Ａ３、新たな質問項目Ｑ１’、新たな入力欄Ｐ１’、「次へ」ボタンＰ２等が設けられる。
なお、図示した総合目安価格表示領域Ａ２には、目安価格として平均価格、最大価格、および最小価格が提示されている。各社目安価格表示領域Ａ３には、商品提供者「Ａ保険」「Ｃケア」「Ｄ総合」について目安価格として平均価格、最大価格、および最小価格が提示されている。
また、各社目安価格表示領域Ａ３の商品提供者ごとの目安価格の近傍には、見積依頼を行う商品提供者を選択するためのチェックボックスＰ３が設けられている。さらに、各社目安価格表示領域Ａ３には、提示された全商品提供者に見積を依頼する一括見積請求ボタンＰ４、提示された商品提供者のうち選択された商品提供者に見積を依頼するための選択見積請求ボタンＰ５が設けられている。  
【００５４】
なお、図８のように複数の商品提供者について目安価格が算出された場合、商品紹介サーバ１は目安価格の提示順序を決定する処理を行い、目安価格のデータに加えて提示順序のデータを用いて次ページの生成を行う。
これにより、例えば、図８が示すように複数の商品提供者の目安価格を平均価格が低い順序でページ先頭から末尾にかけて提示することができる。即ち、安価な商品を希望するユーザにとって利用価値の高い提示が可能となる。
【００５５】
上記の処理を経て、商品紹介サーバ１は次ページをユーザ端末３に送信する。ユーザ端末３は、受信した次ページをユーザに提示する。ユーザは提示された次ページ上で、新たな次ページもしくは確認ページを要求することができる。
【００５６】
最初に、新たな次ページを要求する場合を説明する。具体的には、ユーザは次ページ上の入力欄Ｐ１’に対して入力を行い、「次へ」ボタンＰ２を押下することで、新たな次ページを要求する。この操作に応じて、ユーザ端末３はページ要求送信処理を行い、商品紹介サーバ１はふたたびステップＳ１２乃至ステップＳ１４の処理を行い、新たな次ページを生成・送信する。
なお、確認ページが要求されるまで、次ページ要求に係わる処理、即ち次ページ要求処理（ステップＳ２２）、入力情報取得処理（ステップＳ１２）、目安価格算出処理（ステップＳ１３）、次ページの生成・送信処理（ステップＳ１４）の処理が繰り返される。
【００５７】
次に、ユーザが次ページ上で確認ページを要求する場合を説明する。確認ページは、ユーザが入力情報を確認し、指定した商品提供者に見積を依頼するのウェブページである。確認ページは、次ページ上で少なくとも１つの質問項目が入力された状態で、かつユーザが見積を依頼する商品提供者を選択した場合に要求される。
具体的には、ユーザは次ページに設けられたチェックボックスＰ３等の選択によって見積請求を依頼する商品提供者を指定し、選択見積請求ボタンＰ５を押下する操作を行う。もしくは、提示された商品提供者全てに見積を請求するための一括見積請求ボタンＰ４を押下する操作を行う。この操作に応じて、ユーザ端末３は次ページとしての確認ページ要求と商品提供者の選択情報とを送信する。
【００５８】
上記の確認ページをユーザ端末３に提示させるために、商品紹介サーバ１は、入力済項目リスト、見積依頼先リスト等のデータを用いて確認ページを生成し、ユーザ端末３に送信する。商品紹介サーバ１は、これらのデータを生成する処理も適宜実行する。即ち、後述する見積依頼先リストを生成する処理等を実行する。
なお、商品紹介サーバ１は目安価格のデータを加えて確認ページを生成してもよい。即ち、確認ページに目安価格を提示させてもよい。
【００５９】
図９に確認ページの一例を示す。図９の確認ページには入力済項目表示領域Ａ１、ユーザの選択した商品紹介者一覧を示す見積依頼先表示領域Ａ４、見積依頼を行うための依頼ボタンＰ６、直前のページに戻るための「戻る」ボタンＰ７、連絡先を入力するためのユーザ情報入力欄Ｐ８等が設けられている。
【００６０】
ユーザ端末３は上記の確認ページを受信しユーザに提示する。ユーザは、確認ページで入力済項目および見積依頼先の確認を行い、見積を依頼する。即ち、ユーザ端末３はステップＳ２３で見積依頼要求処理を行う。具体的には、ユーザによる依頼ボタンＰ６の押下に応じて、ユーザ端末３は商品紹介サーバ１に見積依頼要求を送信する。
さらに、ユーザは確認ページ上で各商品提供者から見積を受信するための連絡先の入力を行ってもよい。例えば、ユーザはユーザ情報入力欄Ｐ８への入力を行い、ユーザ端末３は入力情報を見積依頼要求と共に商品紹介サーバ１へ送信する。
また、見積サイトを利用するユーザがサイトに対してユーザ登録を行い、ログインした状態で入力操作および見積依頼を行う場合、ユーザはユーザ情報入力を省略することができる。この場合、商品紹介サーバ１はユーザ情報を記録するユーザＤＢなどのＤＢに適宜アクセスすることが可能とされている。
【００６１】
見積依頼要求を受信した商品紹介サーバ１は、ステップＳ１５で各商品提供者に見積を依頼する見積依頼処理を行う。即ち、商品紹介サーバ１は見積依頼情報を作成して、指定された各提供者端末４に送信する。
さらに、ユーザ端末３に終了ページ等のウェブページデータを送信して、商品提供者への見積依頼が終了したことをユーザに提示するようにしてもよい。
【００６２】
以上の全体の流れから理解されるように、本実施の形態では、商品紹介サーバ１がユーザ端末３に質問項目を一つずつ送信し、質問項目に対してユーザが入力した条件に基づいて実績情報の抽出および目安価格の算出を行い、ユーザ端末３に目安価格を送信する。
この構成によって、ユーザが入力を行う度に、商品紹介サーバ１が抽出する実績情報の検索対象が狭められる。したがって、商品紹介サーバ１の抽出および目安価格算出の処理負担は、ユーザの条件入力の度に軽減される。
以下では、このような商品紹介サーバ１の詳細な処理例を説明していく。
【００６３】
［４−２．商品紹介サーバの処理］
図６のシステム処理を実現する商品紹介サーバ１の処理例（第１の実施の形態）を図１０で説明する。なお、以降、各実施の形態として説明する商品紹介サーバ１処理とは、図３で示した機能構成を有する情報処理装置のＣＰＵ１０１によって実行される処理である。具体的には、提示制御部１ａ、入力情報取得部１ｂ、目安価格算出部１ｃ、サイト管理部１ｄとしての各機能による処理である。
【００６４】
図１０の第１の実施の形態の商品紹介サーバ１の処理例としては、商品紹介サーバ１が先頭ページ要求、次ページ要求、又は見積依頼要求を取得することに応じて実行される処理を示している。
商品紹介サーバ１は、図１０のステップＳ１０１、Ｓ１０２，Ｓ１０６でそれぞれ先頭ページ要求、次ページ要求、見積依頼要求の受信を監視している。
【００６５】
ユーザ端末３からの先頭ページ要求が受信された場合は、商品紹介サーバ１はステップＳ１０１からＳ１０７に進み、先頭ページをユーザ端末２に送信する処理を行う。即ち、商品紹介サーバ１は最初の質問項目を有する先頭ページのウェブページデータを送信し、先頭ページがユーザ端末３に提示されるように制御する。
【００６６】
ユーザ端末３からの次ページ要求が受信された場合は、商品紹介サーバ１は、ステップＳ１０２からステップＳ１０８乃至Ｓ１１１の処理、つまり次ページ要求取得に応じた処理に進むことになる。
なお、ステップＳ１０２で監視する次ページ要求の受信とは、質問項目を有する通常の次ページの要求のほか、前述した確認ページの要求を受信した場合も含む。
【００６７】
ステップＳ１０８で、商品紹介サーバ１は受信した次ページ要求からユーザが入力欄に対して入力した入力情報を取得する処理を行う。
なお、受信した次ページ要求が確認ページを要求するものであった場合、即ち質問項目に対する入力情報を含まない場合は、ステップＳ１０８の入力情報取得処理は実行されない。また、ステップ１０９およびステップＳ１１０の処理も行われない。
【００６８】
ステップＳ１０８で入力情報が取得された場合、商品紹介サーバ１はステップＳ１０９へ進み、目安価格算出処理を実行する。目安価格算出処理において、商品紹介サーバ１は少なくとも１つの商品提供者についての目安価格を算出する。目安価格算出処理の詳細については後述する。
【００６９】
続くステップＳ１１０で、商品紹介サーバ１は質問項目を選択する質問項目選択処理を行う。質問項目選択処理の詳細については後述する。 
【００７０】
ステップＳ１１１で、商品紹介サーバ１は次ページの生成・送信処理を実行する。即ち、商品紹介サーバ１は次ページもしくは確認ページを生成し、ユーザ端末３に送信する。次ページの生成・送信処理の詳細は詳述する。
以上のように、ユーザ端末３から次ページ要求を受信する度に、商品紹介サーバ１はステップＳ１０８乃至ステップＳ１１１の処理を実行する。
【００７１】
ユーザ端末３から見積依頼要求を受信した場合、商品紹介サーバ１はステップＳ１０６から、ステップＳ１１２乃至Ｓ１１４の処理、つまり見積依頼要求取得に応じた見積依頼処理に進むことになる。
【００７２】
ステップＳ１１２で、商品紹介サーバ１は見積依頼要求に基づいて提供者端末４へ送信する見積依頼情報を作成する。即ち、質問項目に対するユーザの入力条件、およびユーザが確認ページで入力したユーザ情報を用いて見積依頼情報を作成する。
【００７３】
続くステップＳ１１３で、商品紹介サーバ１はユーザが指定した商品提供者の各提供者端末４に見積依頼情報を送信する。
【００７４】
ステップＳ１１４で商品紹介サーバ１は終了ページをユーザ端末３に送信する。即ち、ユーザに対して、見積依頼が指定の商品提供者に送信され、見積サイトの利用が終了したことを示す。
なお、図１０を参照して説明した上記図示した処理例においては、ステップＳ１１４の終了ページの提示処理はステップＳ１１３で商品提供者へ見積依頼情報が送信された後に行われているが、ステップＳ１１４の処理は商品提供者への見積依頼処理が実行される前に行われてもよい。つまり、ステップＳ１０６でユーザ端末３から見積依頼要求を受信した直後に行われてもよい。これにより、ユーザの待機時間を短縮できる。
以上のように、ユーザ端末３から見積依頼要求を受信した場合は、ステップＳ１１２乃至ステップＳ１１４の見積依頼処理が行われる。
上記のように、商品紹介サーバ１はユーザ端末３から受信した情報の種類に応じた処理を行う。以下では、上記した商品紹介サーバ１の詳細な処理例を説明していく。
【００７５】
［４−３．目安価格算出処理］
図１０のステップＳ１０９として商品紹介サーバ１が実行する目安価格算出処理の例を図１１乃至図１３を用いて説明する。ここでは、商品提供者のそれぞれについて各種の目安価格を算出し、さらに複数の商品提供者の実績を反映する総合目安価格を算出する処理例を示す。
【００７６】
まず、図１１を参照して目安価格算出処理の処理例を説明する。
商品紹介サーバ１は、ステップＳ２０１で提供者ＤＢ５１もしくは後述する提供者抽出リストに登録された商品提供者から１つの商品提供者を選択する。次のステップＳ２０２で、商品紹介サーバ１は実績情報ＤＢ５０を参照し、ステップＳ２０１で選択された商品提供者についての実績情報のうち、ステップＳ１０２で取得された入力情報と合致する条件を有する実績情報を抽出する。
【００７７】
商品紹介サーバ１は、続くステップＳ２０３で各種目安価格算出処理を実行する。各種目安価格算出処理は、抽出された実績情報の集合において、平均価格、中央価格、最大価格、最小価格等の価格を算出する処理である。
商品紹介サーバ１は、１種類の目安価格を算出するために、ステップＳ２０３において１回のみ各種目安価格算出処理を実行してもよい。また、複数種の目安価格を算出するために、ステップＳ２０３において各種目安価格算出処理を複数回実行してもよい。
【００７８】
図１２を参照して、各種目安価格算出処理の処理例を説明する。
図１２Ａは、目安価格として平均価格を算出する処理例である。即ち、ステップＳ３０１で、商品紹介サーバ１はステップＳ２０２で抽出した実績情報の実績価格を参照し、該実績情報の集合における実績価格の平均価格を算出する。
また、図１２Ｂは、目安価格として中央価格を算出する処理例である。即ち、ステップＳ３０２で、商品紹介サーバ１はステップ２０２で抽出した実績情報の実績価格を参照し、該実績情報の集合における実績価格の中央価格を算出する。
さらに、図１２Ｃは、目安価格として最大価格を算出する処理例である。即ち、ステップＳ３０３で、商品紹介サーバ１はステップ２０２で抽出した実績情報の実績価格を参照し、該実績情報の集合における実績価格の最大価格を算出する。
加えて、図１２Ｄは、目安価格として最小価格を算出する処理例である。即ち、ステップＳ３０４で、商品紹介サーバ１はステップ２０２で抽出した実績情報の実績価格を参照し、該実績情報の集合における実績価格の最小価格を算出する。
【００７９】
ここで、図１１の処理例に戻る。商品紹介サーバ１は、ステップＳ２０３で１つの商品提供者について一又は複数の目安価格が算出した後、ステップＳ２０４で提供者抽出リスト更新処理を実行する。提供者抽出リストとは、目安価格が算出された商品提供者を記録するリストであり、１回の次ページ要求ごとに１つのリストが作成される。
即ち、商品紹介サーバ１は、処理中の次ページ要求に対して提供者抽出リストが作成されていない場合、提供者抽出リストを作成し、さらに、目安価格が算出された商品提供者を提供者抽出リストに記録する。なお、処理中の次ページ要求に対して提供者抽出リストが既に作成されていた場合、商品紹介サーバ１は目安価格が算出された商品提供者を作成済みの提供者抽出リストに記録する。
【００８０】
続いて、ステップＳ２０５で商品紹介サーバ１は未選択の商品提供者がいるか否かを判定する。
具体的には、初回の次ページ要求においては、商品紹介サーバ１は提供者ＤＢ５１を参照して、登録された商品提供者のうち選択されていない商品提供者がいるか否かを判定する。
なお、初回以降のＮ回目の次ページ要求においては、商品紹介サーバ１は前回（Ｎ−１回目）の次ページ要求で作成した提供者抽出リストを参照し、リストに記録された商品提供者のうち選択されていない商品提供者がいるか否かを判定する。即ち、前回（Ｎ−１回目）に抽出された商品提供者のうち目安価格が算出されていない商品提供者がいるか否かを判定する。これにより、場合によっては次ページ要求ごとに検索対象となる商品提供者が減るため、商品紹介サーバ１の処理負担を減らすことができる。
【００８１】
ステップＳ２０５の判定で、提供者ＤＢ５１又は提供者抽出リストに未選択の商品提供者がいた場合、商品紹介サーバ１はステップＳ２０１に戻り、別の商品提供者を選択する。商品紹介サーバ１は、全ての商品提供者が選択されるまでステップＳ２０１乃至ステップＳ２０５の処理を繰り返す。
【００８２】
ステップＳ２０５の判定で、提供者ＤＢ５１又は提供者抽出リストに未選択の商品提供者がいないと判定した場合、商品紹介サーバ１はステップＳ２０６へ進み総合目安価格算出処理を行う。総合目安価格算出処理として、商品紹介サーバ１は、ステップＳ２０２で抽出された各商品提供者の実績情報の抽出数とステップＳ２０３で算出した各商品提供者の目安価格とに基づいて、複数の商品提供者の実績を反映する総合目安価格を算出する。
商品紹介サーバ１はステップＳ２０６の処理で総合目安価格を算出した後、図１１に示される目安価格算出処理を終了する。
【００８３】
続いて、図１３Ａに目安価格算出処理の第１の変形例を示す。第１の変形例において、商品紹介サーバ１は入力条件に該当する実績情報が所定数に満たない商品提供者についての目安価格を算出しない。したがって、実績の少ない商品提供者の目安価格がユーザに提示されないため、提示される目安価格の信頼性を高めることができる。さらに、実績情報が少ない商品提供者の目安価格を算出しないことで、サーバの処理負担が軽減される。
【００８４】
図１３Ａを参照して具体的な処理を説明する。なお、図１１に示した目安価格算出処理の例と同様の処理については、同一の符号を付し、適宜説明を省略する。
目安価格算出処理の第１の変形例においても、商品紹介サーバ１は、最初に、上記したステップＳ２０１の商品提供者の選択処理およびステップＳ２０２の選択された商品提供者についての実績情報の抽出処理を実行する。
続いて、商品紹介サーバ１は、ステップＳ２０７で抽出した実績情報が所定数未満であるか否かを判定する。所定数については、見積サイトの管理者等により信頼にたる目安価格を算出するために必要な任意の数が予め定められ、商品紹介サーバ１が参照するＤＢのいずれかに記憶されていればよい。
抽出された実績情報が所定数未満であると判定された場合、商品紹介サーバ１はステップＳ２０３を経ずにステップＳ２０５に進み、未選択の商品提供者がいるか否かを判定する。即ち、商品紹介サーバ１は、該商品提供者について目安価格の算出および提供者抽出リストへの記録を行わない。
また、抽出した実績情報が所定数未満ではないと判定された場合、商品紹介サーバ１はステップＳ２０３の各種目安価格算出処理およびステップＳ２０４を実行する。商品紹介サーバ１は続けてステップＳ２０５に進み、未選択の商品提供者がいるか否かを判定する。
以上の処理を実行し、商品紹介サーバ１は未選択の商品提供者がいる限りステップＳ２０１乃至ステップＳ２０５の処理を繰り返す。提供者ＤＢ５１又は参照中の提供者リストに記録された全ての商品提供者が選択された後、商品紹介サーバ１はステップＳ２０６の総合目安価格算出処理に進み、図１３Ａに示した処理を終了する。
【００８５】
次に、図１３Ｂに目安価格算出処理の第２の変形例を示す。第２の変形例において商品紹介サーバ１は、各商品提供者について抽出された実績情報のうち、金額上位の実績価格を有する実績情報の所定割合と、金額下位の実績価格を有する実績情報の所定割合を除く処理を行う。これにより、実績から特殊な事例が除かれて、一般的なユーザの参考に堪える目安価格を提供することができる。また、目安価格算出における商品紹介サーバ１の処理対象が所定割合分減少するため、サーバの処理負担が軽減される。
【００８６】
具体的に図１３Ｂを参照して説明する。なお、図１１に示した目安価格算出処理の例と同様の処理については、同一の符号を付し、適宜説明を省略する。
目安価格算出処理の第２の変形例においても、商品紹介サーバ１はまず上記したステップＳ２０１の商品提供者の選択処理およびステップＳ２０２の選択された商品提供者についての実績情報の抽出処理を実行する。
続いて、商品紹介サーバ１は、ステップＳ２０８において抽出された実績情報の集合から金額上位の実績価格を有する実績情報の所定割合を除く処理を行う。さらに、商品紹介サーバ１は、ステップＳ２０９において抽出された実績情報の集合から金額下位の実績価格を有する実績情報の所定割合を除く処理を実行する。即ち、ステップＳ２０８およびステップＳ２０９で実績情報を絞込む処理を行う。
なお、所定割合については、信頼にたる目安価格を算出するために必要な任意の数がサイト管理者等によって予め定められ、商品紹介サーバ１が参照するＤＢのいずれかに記憶されていればよい。
次に、商品紹介サーバ１は、上記したステップＳ２０３乃至ステップＳ２０４の処理を行う。商品紹介サーバ１は、未選択の商品提供者がいないと判定した後、ステップＳ２０６の総合目安価格算出処理に進み、図１３Ｂに示した処理を終了する。
【００８７】
［４−４．質問項目選択処理］
ここで、図１４を用いて、商品紹介サーバ１が図１０のステップＳ１１０として実行する質問項目選択処理の例を説明する。即ち、商品紹介サーバ１が次ページに提示させる質問項目を選択する処理例を示す。
【００８８】
まず図１４Ａを参照して、質問項目選択処理の第１例を説明する。第１例においては、質問項目の提示順序は見積サイトの管理者などにより予め定められており、商品紹介サーバ１は所定の提示順序に従い、直前に提示した質問項目の次の質問項目を選択する。これにより、サーバに重い処理負担をかけることなく、サイト管理者が決定した好適な順番で質問項目がユーザに提示される。
なお、質問項目の提示順序は、商品紹介サーバ１が参照するＤＢのいずれかに記憶されていればよい。
ここで、質問項目選択処理の第１例における具体的な処理を記す。商品紹介サーバ１は、ステップＳ４０１でユーザ端末３からの次ページ要求が確認ページ要求か否かを判定する。次ページ要求が確認ページ要求である場合、商品紹介サーバ１は質問項目の選択を行わずに質問項目選択処理を終了する。つまり、商品紹介サーバ１は、確認ページに質問項目を提示させない。
対して、ステップＳ４０１で次ページ要求が確認ページを要求するものではないと判定された場合、商品紹介サーバ１はステップＳ４０２に進み、予め定められた提示順序に従い次の条件の質問項目を選択する。商品紹介サーバ１はステップＳ４０２の処理の後、図１４Ａに示した質問項目選択処理を終了する。
【００８９】
次に、図１４Ｂを参照して質問項目選択処理の第２例を説明する。第２例においては、商品紹介サーバ１は、提示優先度の高い質問項目を順番に選択する。これにより、サイト管理者の手を煩わすことなく常に好適な順番で質問項目を提示させることができる。
なお、質問項目選択処理の第２例において提示優先度は予め算出され、商品紹介サーバ１がアクセス可能なＤＢ等に記録されている。提示優先度算出処理については後述する。
ここで、質問項目選択処理の第２例における具体的な処理を示すが、図１４Ａに示した入力欄選択理の第１例と同様の処理については、同一の符号を付し、適宜説明を省略する。
商品紹介サーバ１は、ステップＳ４０１でユーザ端末３から送信された次ページ要求が確認ページを要求するものか否かを判定する。次ページ要求が確認ページ要求である場合、商品紹介サーバ１は質問項目の選択を行わずに質問項目選択処理を終了する。
次ページ要求が確認ページを要求するものではない場合、商品紹介サーバ１はステップＳ４０３の処理に進む。ステップＳ４０３では、提示優先度を参照して、直前に提示した質問項目に次いで提示優先度が高い質問項目を選択する。商品紹介サーバ１はステップＳ４０３の処理の後、図１４Ｂに示された質問項目選択処理を終了する。  
【００９０】
ここまで質問項目選択処理の例を説明したが、質問項目の選択処理は他にも多様に考えられる。また図１４Ａおよび図１４Ｂの処理の組み合わせによってもよい。例えば、入力欄のうち最初に提示する３つの入力欄は所定の提示順序に基づいて選択されるが、４番目以降に提示する入力欄については提示優先度に基づいて選択してもよい。
【００９１】
［４−６．優先度算出処理］
上記の質問項目選択処理に関連して、質問項目の提示に係る優先度算出処理についての図１５を用いて説明する。
なお、優先度算出処理は、提供者ＤＢ５１に新たな商品提供者が登録された場合、もしくは商品提供者が見積算定に係わる条件についての登録内容を変更した場合に行われる処理である。
【００９２】
まず、優先度算出処理の第１の処理例を説明する。第１の処理例においては、少なくとも１つの商品提供者が制限を設ける条件の質問項目の提示優先度が高くされる。
具体的には、商品紹介サーバ１は、例えば図５の提供者（Ｐ００２）が制限を設ける条件「車種」の質問項目の高くする。これにより、商品紹介サーバ１は、条件「車種」の質問項目を比較的早い段階でユーザに提示することができる。したがって、ユーザの入力内容によっては、商品紹介サーバ１の処理負担が軽減される。
例えば、ユーザが「車種」の入力欄に対して「大型車」を入力したとする。提供者（Ｐ００２）は「大型車」の自動車保険を提供していないため、該当する実績情報を有さない。つまり、提供者（Ｐ００２）は、目安価格算出処理のステップＳ２０２で抽出される実績情報がなく、また提供者抽出リストに記録されない。したがって、次回の次ページ要求における目安価格算出処理では、商品紹介サーバ１が参照する提供者抽出リストに記録されていない提供者（Ｐ００２）は、商品紹介サーバ１の検索対象とならない。即ち、商品紹介サーバ１の検索対象が狭められるため、サーバの処理負担が軽減される。
【００９３】
ここで、図１５Ａを参照して優先度算出処理の第１の処理例を説明する。商品紹介サーバ１は、ステップＳ５０１で提供者ＤＢ５１の制限ステータスを参照し、少なくとも１つの商品提供者が制限を設ける条件を抽出する。続くステップＳ５０２で、商品紹介サーバ１はステップＳ５０１で抽出した条件に対応する質問項目の提示優先度を高める。
以上の処理により、商品紹介サーバ１は、少なくとも１つの商品提供者が制限を設ける条件の質問項目の提示優先度を高くすることができる。
【００９４】
続いて、優先度算出処理の第２の処理例を説明する。第２の処理例においては、商品提供者間における重複度合いが高い条件の質問項目の提示優先度が高くされる。
具体的には、商品紹介サーバ１は、例えば図５の提供者ＤＢ５１で、重複度合いが９０パーセントの「年齢」条件に対応する質問項目の提示優先度を高くする。これにより、比較的早い段階で複数の商品提供者が見積算定に必要とする条件がユーザに提示される。
ここで、図１５Ｂを参照して優先度算出処理の第２の処理例を説明する。商品紹介サーバ１は、ステップＳ５０３で提供者ＤＢ５１の重複度合いを参照し、商品提供者間における重複度合いが高い条件を抽出する。続くステップＳ５０２で、商品紹介サーバ１はステップＳ５０３で抽出した条件に対応する質問項目の提示優先度を高める。
以上の処理により、商品紹介サーバ１は、複数の商品提供者が見積算定に必要とする条件の質問項目の提示優先度を高くすることができる。
【００９５】
ここまで優先度算出処理例を説明したが、質問項目の選択処理は他にも多様に考えられる。また図１５Ａおよび図１５Ｂの処理の組み合わせによってもよい。
なお、上記には提供者ＤＢ５１に登録された商品提供者の情報を参照し、予め提示優先度を算出しておく処理を説明したが、商品紹介サーバ１は、質問項目を選択する度に優先度算出処理を実行してもよい。即ち、提供者ＤＢ５１に登録された商品提供者についての情報を参照するのではなく、商品紹介サーバ１は、参照中の提供者抽出リストに記録された商品提供者についての情報に基づいて提示優先度を算出してもよい。
これにより、処理中の商品提供者の間で提示優先度が高い質問項目が提示されるため、商品紹介サーバ１の検索対象を効率的に絞込むことができる。
【００９６】
［４−５．次ページの生成・送信処理］
図１０のステップＳ１１１として商品紹介サーバ１が実行する次ページの生成・送信処理の例を説明する。なお、ユーザ端末３が通常の次ページを要求した場合と、確認ページを要求した場合とでは、商品紹介サーバ１は一部異なる処理を実行する。
【００９７】
以下、図１６を参照して処理を説明する。
商品紹介サーバ１は、まずステップＳ６０１で提示順序決定処理を実行する。商品紹介サーバ１は、ステップＳ１０９の目安価格算出処理で複数の商品提供者について目安価格が算出された場合に、次ページ上での複数の目安価格の提示順序を決定する処理を行う。具体的には、商品紹介サーバ１は各商品提供者の目安価格を比較し、目安価格の提示順序を決定する。商品紹介サーバ１は、例えば、目安価格を平均価格が低い順番でページ先頭から末尾にかけて提示する等の提示順序を決定する。
【００９８】
次に、商品紹介サーバ１はステップＳ６０２でユーザ端末３からの次ページ要求が確認ページを要求するものであるか否かを判定する。
次ページ要求が確認ページの要求ではないと判定された場合、商品紹介サーバ１はステップＳ６０３の生成処理に進む。具体的には、商品紹介サーバ１はステップＳ６０３で、ステップＳ１０８で取得されたユーザの入力情報、ステップＳ１０９で算出した目安価格、ステップＳ６０１で決定した提示順序、ステップＳ１１０で選択した質問項目等のデータを用いて次ページを生成する。
商品紹介サーバ１は、続いてステップＳ６０４に進み、生成した次ページをユーザ端末３に送信する。
【００９９】
また、ステップＳ６０２で次ページ要求が確認ページの要求であると判定した場合、商品紹介サーバ１はステップＳ６０５の見積依頼先リストの作成処理に進む。具体的には、商品紹介サーバ１は、ユーザの入力情報を基づいて、見積依頼先として選択された商品提供者の一覧として見積依頼先リストを作成する。商品紹介サーバ１は、続くステップＳ６０６で、上記したユーザの入力情報、ステップＳ６０７で作成した見積依頼リスト等のデータを用いて確認ページを生成する。
商品紹介サーバ１は続いてステップＳ６０４に進み、次ページとしての確認ページをユーザ端末３に送信する。
【０１００】
以上の処理により、商品紹介サーバ１は次ページを生成し、ユーザ端末３へ送信する。
なお、ステップＳ６０３およびステップＳ６０６のウェブページの生成処理において、商品紹介サーバ１は、ユーザの入力情報を用いなくてもよい。これにより、次ページ上にユーザの入力済項目は提示されないが、商品紹介サーバ１の処理負担および通信負担は軽減される。
【０１０１】
＜５．第２の実施の形態＞
［５−１．全体の流れ］
続いて、第２の実施の形態を説明する。以下では、第１の実施の形態における図１０の処理との相違点のみを説明し、重複説明は避ける。なお第２の実施の形態でも、図１１〜図１６で説明した処理はそれぞれ適用できる。
【０１０２】
見積サイトにアクセスするユーザに対して、第１の実施の形態における商品紹介サーバ１はまず先頭ページを提示したが、第２の実施の形態における商品紹介サーバ１は、以下に説明する入力ページを提示する。上記した先頭ページおよび次ページはページにつき１つの質問項目を有するが、本実施の形態の入力ページは複数の質問項目を有する。したがって、ユーザは入力ページ上で質問項目に応じた入力を一度に済ませることができる。これにより、ユーザの入力負担を軽減することができる。
【０１０３】
ここで、第２の実施の形態における全体の流れを説明する。
ユーザ端末３は、先頭ページ要求処理（ステップＳ２１）の代わりに入力ページ要求処理を実行する。商品紹介サーバ１は、ユーザ端末３の要求に応じて、入力ページをユーザ端末３に送信する処理を実行する。
図１７に入力ページの一例を示す。図１７の入力ページは、複数の質問項目Ｑ１、各質問項目に対応するＰ１に加え、後述する依頼ページを要求するための完了ボタンＰ９等を有する。
【０１０４】
商品紹介サーバ１から入力ページを受信したユーザ端末３は、ユーザの入力に応じて依頼ページ要求処理を実行する。この際、商品紹介サーバ１は、依頼ページ要求と共にユーザの入力情報を商品紹介サーバ１に送信する。  
具体的には、ユーザは受信した入力ページに含まれる複数の入力欄Ｐ１に対して入力を行い、送信操作を行う。送信操作として、ユーザは先頭ページに設けられた送信ボタン（完了ボタンＰ９）の押下等を行う。
【０１０５】
依頼ページ要求を受信した商品紹介サーバ１は、ユーザ端末３に依頼ページを提示させる処理を実行する。この際の商品紹介サーバ１の処理については後述する。
ここで、図１８に依頼ページの一例を示す。依頼ページは、入力済項目表示領域Ａ１、総合目安価格表示領域Ａ２、各社目安価格表示領域Ａ３、チェックボックスＰ３、一括見積請求ボタンＰ４、選択見積請求ボタンＰ５、ユーザ情報入力欄Ｐ８等を有する。これらの領域およびウェブパーツの機能は上述した通りである。
ユーザは依頼ページ上で入力済条件および目安価格を確認して、見積依頼を行う商品提供者を選択する。具体的には、一括見積請求ボタンＰ４を押下する。もしくはチェックボックスＰ３をチェックした状態で選択見積請求ボタンＰ５を押下する。いずれかの操作が行われた場合、ユーザ端末３は商品紹介サーバ１に見積依頼要求を送信する。
【０１０６】
見積依頼要求を受信した商品紹介サーバ１は、ユーザ端末３から送信された情報を基に見積依頼情報を生成し、ユーザが指定する商品提供者に見積依頼情報を送信する。
以上の全体の流れから理解されるように、第２の実施の形態では、商品紹介サーバ１はユーザ端末３に複数の質問項目を一括送信し、ユーザは複数の質問項目に応じた入力を一つのページ上で行う。
この構成により、ユーザの入力負担が軽減される。さらに、ユーザによるページ要求回数が削減されるため、商品紹介サーバ１の処理負担も軽減される。
【０１０７】
［５−２．商品紹介サーバの処理］
図１９に第２の実施の形態としての商品紹介サーバ１の処理を示す。図１０に示した処理と同様の処理については、同一の符号を付し、適宜説明を省略する。
図１９の第２の実施の形態の商品紹介サーバ１の処理例としては、商品紹介サーバ１が入力ページ要求、依頼ページ要求、又は見積依頼要求を取得することに応じて実行する処理を示している。
商品紹介サーバ１は、図１９のステップＳ１１５、Ｓ１１７，Ｓ１０６でそれぞれ入力ページ要求、依頼ページ要求、見積依頼要求の受信を監視している。
【０１０８】
ユーザ端末３からの入力ページ要求が受信された場合は、商品紹介サーバ１はステップＳ１１５からＳ１１６に進み、入力ページをユーザ端末３に送信する処理を行う。即ち、複数の質問項目を有する入力ページを送信し、入力ページがユーザ端末３に提示されるように制御する。
なお、複数の質問項目の提示順序については、予め決められた提示順序に基づいてもよく、提示優先度に基づいてもよい。
【０１０９】
ユーザ端末３からの依頼ページ要求が受信された場合は、商品紹介サーバ１はステップＳ１１７から、ステップＳ１０７、Ｓ１０８およびＳ１１８の処理、つまり依頼ページ要求取得に応じた処理に進むことになる。即ち、商品紹介サーバ１はユーザが完了ボタンＰ９を押下して依頼ページを要求した場合の一連の処理を行う。
【０１１０】
商品紹介サーバ１は、ステップＳ１０７で、ユーザが入力欄に対して入力した入力情報を取り込む処理を行う。第２の実施の形態においては、複数の入力欄に対する入力情報が取得される。
続くステップＳ１０８で、商品紹介サーバ１は目安価格算出処理を実行する。なお、目安価格算出処理で実績情報を抽出する際には、商品紹介サーバ１は実績情報ＤＢ５０で複数の入力情報のアンド検索を行う。
【０１１１】
ステップＳ１１８で商品紹介サーバ１は、依頼ページの生成・送信処理を行う。この処理は、図１０のステップＳ１１１で説明した次ページの生成・送信処理における次ページを生成・送信する処理と同様の処理を実行する。即ち、商品紹介サーバ１は提示順序決定処理（図１６のステップＳ６０１）を実行し、目安価格、提示順序等のデータを用いて依頼ページを生成する。但し、次ページの生成時とは異なり、商品紹介サーバ１は質問項目のデータを依頼ページの生成に用いない。
以上のように、ユーザ端末３から依頼ページ要求を受信した場合、商品紹介サーバ１はステップＳ１０７、ステップＳ１０８およびステップＳ１１８の処理を実行する。
【０１１２】
ユーザ端末３から見積依頼要求を受信した場合、商品紹介サーバ１はステップＳ１０６から、ステップＳ１１２乃至Ｓ１１４の処理、つまり見積依頼要求取得に応じた処理に進む。これらの処理については、前述した図１０のステップＳ１１２乃至Ｓ１１４の処理と同様である。
このように、商品紹介サーバ１はユーザ端末３から受信した情報の種類に応じた処理を行う。
【０１１３】
＜６．変形例＞
続けて、実施の形態の変形例を説明する。この変形例においては、第２の実施の形態と同様に複数の質問項目を有する入力ページが見積サイトにアクセスするユーザに提示されるが、ユーザが一つの質問項目の入力欄に対して入力を行う度に、入力に応じた目安価格が新たに算出されて提示される。
図２０にユーザの入力途中に目安価格が提示された場合のディスプレイ例を示す。図２０の入力ページは、複数の質問項目Ｑ１、複数の入力欄Ｐ１、依頼ページを要求するための確認ボタンＰ１０、総合目安価格表示領域Ａ２、各社目安価格表示領域Ａ３等を有する。具体的には、提示された質問項目のうち「年齢」と「免許証」に対応する入力欄に入力が行われ、入力条件に応じた総合目安価格および各商品提供者の目安価格が提示されている。
質問項目を１つずつ提示させる場合、ユーザには入力すべき質問項目の残数がわからないという不満がある。また、質問項目を複数提示させる場合、ユーザは目安価格を迅速に知ることができないという不満がある。変形例の構成はこれらの不満を解消し、ユーザが質問項目の総数を把握しながら、入力の都度目安価格を確認することを可能にする。
【０１１４】
本変形例における全体の流れを説明する。
ユーザ端末３は、先頭ページ要求処理（図６のステップＳ９０１）の代わりに入力ページ要求処理を実行する。商品紹介サーバ１は、要求に応じて、複数の質問項目を有する入力ページをユーザ端末３に送信する処理を実行する。
商品紹介サーバ１から入力ページを受信したユーザ端末３は、ユーザの入力に応じて入力情報を商品紹介サーバ１に送信する。具体的には、ユーザは提示された質問項目の入力欄のうちの一つに対して入力を行い、ユーザ端末３は入力情報を商品紹介サーバ１に送信する。  
入力情報を受信した商品紹介サーバ１は、実績情報の抽出および目安価格の算出を行い、算出した目安価格をユーザ端末３に提示させるための処理を行う。
なお、ユーザ端末３に目安価格を提示させる処理として、商品紹介サーバ１は、入力済条件、目安価格、提示順序、質問項目等のデータを用いて新たな入力ページを作成し、ユーザ端末３に送信してもよい。もしくは、商品紹介サーバ１は、目安価格のデータのみをユーザ端末３に送信してもよい。
また、依頼ページ要求後の処理については、第２の実施の形態で説明した処理例と同様であるためここでは省略する。
以上の全体の流れから理解されるように、本変形例では、商品紹介サーバ１がユーザ端末３に複数の質問項目を一括送信し、一部の質問項目の入力欄に入力が行われる度に目安価格が算出される。
【０１１５】
上記した変形例および第２の実施の形態では、複数の質問項目の全てを一度にユーザ端末３に提示させたが、複数の質問項目のうち１以上を組にして複数回に分けて提示させてもよい。即ち、第１の実施の形態における先頭ページ又は目安ページに複数の質問項目を提示させる変形例も可能である。
この構成によれば、例えば、ユーザについての条件である「年齢」と「免許証」の２つの質問項目を組にして先頭ページに同時に提示することができる。この場合、次ページに提示される目安価格は、「年齢」と「免許証」についての双方の入力条件に合致する実績情報を基に算出される。
これにより、ユーザは一つのページ上で複数の入力欄に対して入力を行うことができるため、ページ要求の回数が減り、ユーザの操作負担を軽減することができる。
【０１１６】
＜７．まとめ＞
上記した商品紹介サーバ１は、条件によって価格が変動する商品について、前記条件の入力を求める質問項目がユーザ端末に提示されるようにする制御と、条件によって価格が変動する商品の目安価格がユーザ端末に提示されるようにする制御とを行う提示制御部１ａと、前記質問項目に対する入力情報を取得する入力情報取得部１ｂと、取得された入力情報と合致する条件で行われた取引の実績情報を抽出し、抽出された実績情報に含まれる実績価格に基づいて目安価格を算出する目安価格算出部１ｃと、を備える。
これにより、ユーザが実際に見積を請求する前に、おおよその目安価格を提示することができる。
したがって、ユーザの予算を外れる価格帯の商品提供者への見積請求などが減少することが見込まれるため、通信量の削減や、それによる通信トラフィックの有効利用を促進できる。
また、ユーザの利用するユーザ端末における限られた（例えば、モニタなどの）提示領域において、価値のある情報（目安価格）を提示することにより、ユーザ端末の資源を有効活用することができる。
【０１１７】
さらに、第１の実施の形態（図１０ステップＳ１０８）および変形例で説明したように、入力情報取得部１ｂは、一部の質問項目に対する入力が行われるごとに前記入力情報を取得する。
これにより、ユーザは入力の都度、入力条件に合致する目安価格を知ることができる。即ち、ユーザは入力条件に応じた目安価格を迅速に得ることができる。さらに、入力条件が増すほど目安価格の精度が上がるため、ユーザは入力の都度、より正確な目安価格を得る。
【０１１８】
また、目安価格算出処理（図１０ステップＳ１０９、図１１および図１３）で説明したように、目安価格算出部１ｃは、実績情報を商品提供者ごとに抽出し、抽出された実績情報に含まれる実績価格に基づいて商品提供者ごとに目安価格を算出する。
これにより、ユーザは商品提供者ごとの目安価格を知ることができる。したがって、ユーザは各商品提供者の目安価格を参考に、見積を依頼する商品提供者を適切に選択することができる。  
【０１１９】
また、各種目安価格算出処理（図１２）で説明したように、目安価格算出部１ｃは、実績情報を抽出し、抽出された実績情報に含まれる実績価格に基づいて目安価格として最大価格、最小価格、平均価格、および中央価格の全て又は一部を算出する。
これにより、ユーザは多様な目安価格を知ることができる。したがって、ユーザの多様なニーズに適う指標を提示することができる。
ユーザの多様なニーズとは、例えば、希望する条件で可能な限り正確な価格を知りたいと望むユーザには、目安価格として平均価格が有用である。対して、希望する条件で可能な限り低額の価格を知りたいと望むユーザには、目安価格として最小価格が有用である。このように、多様な目安価格を提示することでユーザの多様なニーズに応えることができる。
【０１２０】
また、目安価格算出処理の変形例（図１３Ａ）で説明したように、目安価格算出部１ｃは、商品提供者について抽出された実績情報が所定数より少ない場合、該当する商品提供者について目安価格を算出しない。
これにより、実績の低い商品提供者の目安価格が提示されないため、提示される目安価格の信頼性を高めることができる。さらに、該当する商品提供者に関して目安価格が算出されない分、サーバの処理負担が軽減される。
【０１２１】
また、目安価格算出処理の変形例（図１３Ｂ）で説明したように、目安価格算出部１ｃは、抽出された実績情報に含まれる実績価格から金額上位の所定割合の実績価格を除いた集合における最大価格を最大価格として算出し、抽出された実績情報に含まれる実績価格から金額下位の所定割合の実績価格を除いた集合における最小価格を最小価格として算出する。
これにより、実績から特殊な事例が除かれて、一般的なユーザの参考に堪える目安価格を提供することができる。さらに、該当する商品提供者に関して目安価格が算出されない分、サーバの処理負担が軽減される。
【０１２２】
さらに、提示順序決定処理（図１６ステップＳ６０１）で説明したように、提示制御部１ａは、複数の商品提供者ごとに目安価格が算出された場合、目安価格に基づいて複数の目安価格の提示順序を決定する。
これにより、ユーザにとって利用価値の高い提示を実現することができる。
例えば、平均価格が低い順番で商品提供者とその目安価格をページ上部に配置する場合、ユーザの目に留まりやすい位置に平均価格の低い商品提供者を提示することができる。したがって、ユーザは希望する条件でより手ごろな価格の商品を提供する商品提供者を知ることができる。
また、平均価格が高い順番で商品提供者とその目安価格をページ上部に配置する場合、ユーザの目に留まりやすい位置に平均価格の高い商品提供者を提示することができる。したがって、ユーザは希望する条件に合致した上でより手厚いサービスを提供する商品を知ることができる。
【０１２３】
加えて、質問項目選択処理（図１４）で説明したように、提示制御部１ａは、条件ごとの目安価格の変動の大きさに基づいて質問項目の提示順序を決定する。
これにより、入力された条件が少ない状態でも、ユーザの参考になる目安価格を提示することができる。
例えば、幅広い価格帯を有する自動車保険の保険料に関して、「年齢」条件によって価格帯が一定帯域に限定される。このように価格帯を狭める条件は、目安価格の変動が大きい条件といえる。そのような目安価格の変動の大きい条件を早い段階でユーザに入力させることで、提示される目安価格の幅を早い段階で絞ることができる。したがって、入力条件が少ない段階でも、実際の価格に近い目安価格を提示することができる。
【０１２４】
また、優先度算出処理（図１５Ａ）で説明したように、提示制御部１ａは、条件のうち少なくとも１つの商品提供者が制限を設ける条件の質問項目の提示優先度を高くする。
これにより、早い段階で実績情報を絞り込むことができる。即ち、サーバの処理負担が軽減される。
【０１２５】
また、優先度算出処理（図１５Ｂ）で説明したように、提示制御部１ａは、複数の商品提供者の間で重複度合いが高い条件の質問項目の提示優先度を高くする。
これにより、複数の商品提供者が見積算出に必要とする条件をユーザにより確実に入力させることができる。
【０１２６】
＜８．プログラムおよび記憶媒体＞
以上、本発明の情報処理装置の実施の形態としての商品紹介サーバ１を説明してきたが、実施の形態のプログラムは、商品紹介サーバ１における各処理を情報処理装置（ＣＰＵ等）に実行させるプログラムである。
【０１２７】
実施の形態のプログラムは、条件によって価格が変動する商品について、前記条件の入力を求める質問項目がユーザ端末に提示されるように制御を行う処理を情報処理装置に実行させる。
また、前記質問項目に対する入力情報を取得する取得する処理を情報処理装置に実行させる。
さらに、取得された前記入力情報と合致する条件で行われた取引の実績情報を抽出し、抽出された前記実績情報に含まれる実績価格に基づいて目安価格を算出する処理を情報処理装置に実行させる。
そして、目安価格が前記ユーザ端末に提示されるように制御を行う処理を情報処理装置に実行させる。
即ちこのプログラムは、商品紹介サーバ１に対して図１０のステップＳ１０７、ステップＳ１０８、ステップＳ１０９およびステップＳ１１１で説明した処理を実行させるプログラムである。
【０１２８】
このようなプログラムにより、上述した商品紹介サーバ１としての１又は複数の情報処理装置を実現できる。
そしてこのようなプログラムはコンピュータ装置等の機器に内蔵されている記憶媒体としてのＨＤＤや、ＣＰＵを有するマイクロコンピュータ内のＲＯＭ等に予め記憶しておくことができる。あるいはまた、半導体メモリ、メモリカード、光ディスク、光磁気ディスク、磁気ディスクなどのリムーバブル記憶媒体に、一時的あるいは永続的に格納（記憶）しておくことができる。またこのようなリムーバブル記憶媒体は、いわゆるパッケージソフトウェアとして提供することができる。
また、このようなプログラムは、リムーバブル記憶媒体からパーソナルコンピュータ等にインストールする他、ダウンロードサイトから、ＬＡＮ、インターネットなどのネットワークを介してダウンロードすることもできる。
【符号の説明】
【０１２９】
１  商品紹介サーバ、１ａ  提示制御部、１ｂ  入力情報取得部、１ｃ  目安価格算出部、１ｄ  サイト管理部、２  通信ネットワーク、３  ユーザ端末、４  提供者端末、５０  実績情報ＤＢ、５１  提供者ＤＢ、５２  ウェブページＤＢ
【図１】
2018051485.tif 000003
【図２】
2018051485.tif 000004
【図３】
2018051485.tif 000005
【図４】
2018051485.tif 000006
【図５】
2018051485.tif 000007
【図６】
2018051485.tif 000008
【図７】
2018051485.tif 000009
【図８】
2018051485.tif 000010
【図９】
2018051485.tif 000011
【図１０】
2018051485.tif 000012
【図１１】
2018051485.tif 000013
【図１２】
2018051485.tif 000014
【図１３】
2018051485.tif 000015
【図１４】
2018051485.tif 000016
【図１５】
2018051485.tif 000017
【図１６】
2018051485.tif 000018
【図１７】
2018051485.tif 000019
【図１８】
2018051485.tif 000020
【図１９】
2018051485.tif 000021
【図２０】
2018051485.tif 000022
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
条件によって見積価格が変動する商品について、前記条件の入力を求める質問項目がユーザ端末に提示されるようにする制御と、前記条件によって見積価格が変動する商品の目安価格が前記ユーザ端末に提示されるようにする制御とを行う提示制御部と、
見積算定に必要な一部の前記質問項目に対する入力が行われるごとに入力情報を取得する入力情報取得部と、  
取得された前記入力情報と合致する条件の実績情報を抽出し、抽出された前記実績情報に含まれる実績価格に基づいて前記目安価格を算出する目安価格算出部と、
を備えた情報処理装置。
【請求項２】
条件によって価格が変動する商品について、前記条件の入力を求める質問項目がユーザ端末に提示されるようにする制御と、前記条件によって価格が変動する商品の目安価格が前記ユーザ端末に提示されるようにする制御とを行う提示制御部と、
前記質問項目に対する入力情報を取得する入力情報取得部と、  
取得された前記入力情報と合致する条件の実績情報を商品提供者ごとに抽出し、抽出された前記実績情報に含まれる実績価格に基づいて前記商品提供者ごとに前記目安価格を算出する目安価格算出部と、
を備えた情報処理装置。
【請求項３】
前記目安価格算出部は、前記実績情報を商品提供者ごとに抽出し、抽出された前記実績情報に含まれる前記実績価格に基づいて前記商品提供者ごとに前記目安価格を算出する
請求項１に記載の情報処理装置。
【請求項４】
前記入力情報取得部は、一部の前記質問項目に対する入力が行われるごとに前記入力情報を取得する
請求項２に記載の情報処理装置。
【請求項５】
前記目安価格算出部は、前記実績情報を抽出し、抽出された前記実績情報に含まれる前記実績価格に基づいて前記目安価格として最大価格、最小価格、平均価格、および中央価格の全て又は一部を算出する
請求項１又は請求項２に記載の情報処理装置。
【請求項６】
前記目安価格算出部は、前記商品提供者について抽出された前記実績情報が所定数より少ない場合、該当する前記商品提供者について前記目安価格を算出しない
請求項２又は請求項３に記載の情報処理装置。
【請求項７】
前記目安価格算出部は、
抽出された前記実績情報に含まれる前記実績価格から金額上位の所定割合の実績価格を除いた集合における最大価格を前記最大価格として算出し、
抽出された前記実績情報に含まれる前記実績価格から金額下位の所定割合の実績価格を除いた集合における最小価格を前記最小価格として算出する
請求項５に記載の情報処理装置。
【請求項８】
前記提示制御部は、複数の前記商品提供者ごとに前記目安価格が算出された場合、前記目安価格に基づいて複数の前記目安価格の提示順序を決定する
請求項２又は請求項３に記載の情報処理装置。
【請求項９】
前記提示制御部は、前記条件ごとの前記目安価格の変動の大きさに基づいて前記質問項目の提示順序を決定する
請求項１又は請求項２に記載の情報処理装置。
【請求項１０】
前記提示制御部は、前記条件のうち少なくとも一つの前記商品提供者が制限を設ける前記条件の前記質問項目の提示優先度を高くする
請求項２又は請求項３に記載の情報処理装置。
【請求項１１】
前記提示制御部は、複数の前記商品提供者の間で重複度合いが高い前記条件の前記質問項目の提示優先度を高くする
請求項２又は請求項３に記載の情報処理装置。
【請求項１２】
情報処理装置に実行させる情報処理方法であって、
条件によって見積価格が変動する商品について、前記条件の入力を求める質問項目がユーザ端末に提示されるように制御を行う第１の提示制御ステップと、
見積算定に必要な一部の前記質問項目に対する入力が行われるごとに前記質問項目に対する入力情報を取得する取得ステップと、  
取得された前記入力情報と合致する条件の実績情報を抽出し、抽出された前記実績情報に含まれる実績価格に基づいて目安価格を算出する算出ステップと、
前記目安価格が前記ユーザ端末に提示されるように制御を行う第２の提示制御ステップと、
を備えた情報処理方法。
【請求項１３】
情報処理装置に実行させる情報処理方法であって、
条件によって価格が変動する商品について、前記条件の入力を求める質問項目がユーザ端末に提示されるように制御を行う第１の提示制御ステップと、
前記質問項目に対する入力情報を取得する取得ステップと、  
取得された前記入力情報と合致する条件の実績情報を商品提供者ごとに抽出し、抽出された前記実績情報に含まれる実績価格に基づいて前記商品提供者ごとに目安価格を算出する算出ステップと、
前記目安価格が前記ユーザ端末に提示されるように制御を行う第２の提示制御ステップと、
を備えた情報処理方法。
【請求項１４】
条件によって見積価格が変動する商品について、前記条件の入力を求める質問項目がユーザ端末に提示されるように制御を行う第１の提示制御手順と、
見積算定に必要な一部の前記質問項目に対する入力が行われるごとに前記質問項目に対する入力情報を取得する取得手順と、  
取得された前記入力情報と合致する条件の実績情報を抽出し、抽出された前記実績情報に含まれる実績価格に基づいて目安価格を算出する算出手順と、
前記目安価格が前記ユーザ端末に提示されるように制御を行う第２の提示制御手順と、
を情報処理装置に実行させるプログラム。
【請求項１５】
条件によって価格が変動する商品について、前記条件の入力を求める質問項目がユーザ端末に提示されるように制御を行う第１の提示制御手順と、
前記質問項目に対する入力情報を取得する取得手順と、  
取得された前記入力情報と合致する条件の実績情報を商品提供者ごとに抽出し、抽出された前記実績情報に含まれる実績価格に基づいて前記商品提供者ごとに目安価格を算出する算出手順と、
前記目安価格が前記ユーザ端末に提示されるように制御を行う第２の提示制御手順と、
を情報処理装置に実行させるプログラム。
【請求項１６】
条件によって見積価格が変動する商品について、前記条件の入力を求める質問項目がユーザ端末に提示されるように制御を行う第１の提示制御手順と、
見積算定に必要な一部の前記質問項目に対する入力が行われるごとに前記質問項目に対する入力情報を取得する取得手順と、  
取得された前記入力情報と合致する条件の実績情報を抽出し、抽出された前記実績情報に含まれる実績価格に基づいて目安価格を算出する算出手順と、
前記目安価格が前記ユーザ端末に提示されるように制御を行う第２の提示制御手順と、
を情報処理装置に実行させるプログラムを記憶した記憶媒体。
【請求項１７】
条件によって価格が変動する商品について、前記条件の入力を求める質問項目がユーザ端末に提示されるように制御を行う第１の提示制御手順と、
前記質問項目に対する入力情報を取得する取得手順と、  
取得された前記入力情報と合致する条件の実績情報を商品提供者ごとに抽出し、抽出された前記実績情報に含まれる実績価格に基づいて前記商品提供者ごとに目安価格を算出する算出手順と、
前記目安価格が前記ユーザ端末に提示されるように制御を行う第２の提示制御手順と、
を情報処理装置に実行させるプログラムを記憶した記憶媒体。
【手続補正２】
【補正対象書類名】明細書
【補正対象項目名】０００５
【補正方法】変更
【補正の内容】
【０００５】
本発明に係る情報処理装置は、条件によって見積価格が変動する商品について、前記条件の入力を求める質問項目がユーザ端末に提示されるようにする制御と、前記条件によって見積価格が変動する商品の目安価格が前記ユーザ端末に提示されるようにする制御とを行う提示制御部と、見積算定に必要な一部の前記質問項目に対する入力が行われるごとに入力情報を取得する入力情報取得部と、取得された前記入力情報と合致する条件の実績情報を抽出し、抽出された前記実績情報に含まれる実績価格に基づいて前記目安価格を算出する目安価格算出部と、を備える。
また、本発明に係る情報処理装置は、条件によって価格が変動する商品について、前記条件の入力を求める質問項目がユーザ端末に提示されるようにする制御と、前記条件によって価格が変動する商品の目安価格が前記ユーザ端末に提示されるようにする制御とを行う提示制御部と、前記質問項目に対する入力情報を取得する入力情報取得部と、取得された前記入力情報と合致する条件の実績情報を商品提供者ごとに抽出し、抽出された前記実績情報に含まれる実績価格に基づいて前記商品提供者ごとに前記目安価格を算出する目安価格算出部と、を備える。
これにより、ユーザが実際に見積を請求する前に、おおよその目安価格を提示することができる。
【手続補正３】
【補正対象書類名】明細書
【補正対象項目名】００１５
【補正方法】変更
【補正の内容】
【００１５】
本発明に係る情報処理方法は、条件によって見積価格が変動する商品について、前記条件の入力を求める質問項目がユーザ端末に提示されるように制御を行う第１の提示制御ステップと、見積算定に必要な一部の前記質問項目に対する入力が行われるごとに前記質問項目に対する入力情報を取得する取得ステップと、取得された前記入力情報と合致する条件の実績情報を抽出し、抽出された前記実績情報に含まれる実績価格に基づいて目安価格を算出する算出ステップと、前記目安価格が前記ユーザ端末に提示されるように制御を行う第２の提示制御ステップと、を備えたものである。
また、本発明に係る情報処理方法は、条件によって価格が変動する商品について、前記条件の入力を求める質問項目がユーザ端末に提示されるように制御を行う第１の提示制御ステップと、前記質問項目に対する入力情報を取得する取得ステップと、取得された前記入力情報と合致する条件の実績情報を商品提供者ごとに抽出し、抽出された前記実績情報に含まれる実績価格に基づいて前記商品提供者ごとに目安価格を算出する算出ステップと、前記目安価格が前記ユーザ端末に提示されるように制御を行う第２の提示制御ステップと、を備えたものである。
この情報処理方法により、情報処理装置によって、商品のおおよその目安価格を見積請求前にユーザに提示することができる。
本発明に係るプログラムは、上記各ステップに相当する手順を情報処理装置に実行させるプログラムである。本発明に係る記憶媒体は、上記プログラムを記憶したものである。これらにより上述の情報処理装置の処理を実現する。
【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
条件によって見積価格が変動する商品について、前記条件の入力を求める質問項目がユーザ端末に提示されるようにする制御と、前記条件によって見積価格が変動する商品について、見積請求に必要な全ての入力が行われた段階における最終的な見積価格の目安価格が前記ユーザ端末に提示されるようにする制御とを行う提示制御部と、
見積算定に必要な一部の前記質問項目に対する入力が行われるごとに入力情報を取得する入力情報取得部と、  
取得された前記入力情報と合致する条件の実績情報を抽出し、抽出された前記実績情報に含まれる実績価格に基づいて前記目安価格を算出する目安価格算出部と、
を備えた情報処理装置。
【請求項２】
条件によって価格が変動する商品について、前記条件の入力を求める質問項目がユーザ端末に提示されるようにする制御と、前記条件によって価格が変動する商品の目安価格が前記ユーザ端末に提示されるようにする制御とを行う提示制御部と、
前記質問項目に対する入力情報を取得する入力情報取得部と、  
取得された前記入力情報と合致する条件の実績情報を商品提供者ごとに抽出し、抽出された前記実績情報に含まれる実績価格に基づいて前記商品提供者ごとに前記目安価格を算出する目安価格算出部と、
を備えた情報処理装置。
【請求項３】
前記目安価格算出部は、前記実績情報を商品提供者ごとに抽出し、抽出された前記実績情報に含まれる前記実績価格に基づいて前記商品提供者ごとに前記目安価格を算出する
請求項１に記載の情報処理装置。
【請求項４】
前記入力情報取得部は、一部の前記質問項目に対する入力が行われるごとに前記入力情報を取得する
請求項２に記載の情報処理装置。
【請求項５】
前記目安価格算出部は、前記実績情報を抽出し、抽出された前記実績情報に含まれる前記実績価格に基づいて前記目安価格として最大価格、最小価格、平均価格、および中央価格の全て又は一部を算出する
請求項１又は請求項２に記載の情報処理装置。
【請求項６】
前記目安価格算出部は、前記商品提供者について抽出された前記実績情報が所定数より少ない場合、該当する前記商品提供者について前記目安価格を算出しない
請求項２又は請求項３に記載の情報処理装置。
【請求項７】
前記目安価格算出部は、
抽出された前記実績情報に含まれる前記実績価格から金額上位の所定割合の実績価格を除いた集合における最大価格を前記最大価格として算出し、
抽出された前記実績情報に含まれる前記実績価格から金額下位の所定割合の実績価格を除いた集合における最小価格を前記最小価格として算出する
請求項５に記載の情報処理装置。
【請求項８】
前記提示制御部は、複数の前記商品提供者ごとに前記目安価格が算出された場合、前記目安価格に基づいて複数の前記目安価格の提示順序を決定する
請求項２又は請求項３に記載の情報処理装置。
【請求項９】
前記提示制御部は、前記条件ごとの前記目安価格の変動の大きさに基づいて前記質問項目の提示順序を決定する
請求項１又は請求項２に記載の情報処理装置。
【請求項１０】
前記提示制御部は、前記条件のうち少なくとも一つの前記商品提供者が制限を設ける前記条件の前記質問項目の提示優先度を高くする
請求項２又は請求項３に記載の情報処理装置。
【請求項１１】
前記提示制御部は、複数の前記商品提供者の間で重複度合いが高い前記条件の前記質問項目の提示優先度を高くする
請求項２又は請求項３に記載の情報処理装置。
【請求項１２】
情報処理装置に実行させる情報処理方法であって、
条件によって見積価格が変動する商品について、前記条件の入力を求める質問項目がユーザ端末に提示されるように制御を行う第１の提示制御ステップと、
見積算定に必要な一部の前記質問項目に対する入力が行われるごとに前記質問項目に対する入力情報を取得する取得ステップと、  
取得された前記入力情報と合致する条件の実績情報を抽出し、抽出された前記実績情報に含まれる実績価格に基づいて目安価格を算出する算出ステップと、
前記条件によって見積価格が変動する商品について、見積請求に必要な全ての入力が行われた段階における最終的な見積価格の前記目安価格が前記ユーザ端末に提示されるように制御を行う第２の提示制御ステップと、
を備えた情報処理方法。
【請求項１３】
情報処理装置に実行させる情報処理方法であって、
条件によって価格が変動する商品について、前記条件の入力を求める質問項目がユーザ端末に提示されるように制御を行う第１の提示制御ステップと、
前記質問項目に対する入力情報を取得する取得ステップと、  
取得された前記入力情報と合致する条件の実績情報を商品提供者ごとに抽出し、抽出された前記実績情報に含まれる実績価格に基づいて前記商品提供者ごとに目安価格を算出する算出ステップと、
前記目安価格が前記ユーザ端末に提示されるように制御を行う第２の提示制御ステップと、
を備えた情報処理方法。
【請求項１４】
条件によって見積価格が変動する商品について、前記条件の入力を求める質問項目がユーザ端末に提示されるように制御を行う第１の提示制御手順と、
見積算定に必要な一部の前記質問項目に対する入力が行われるごとに前記質問項目に対する入力情報を取得する取得手順と、  
取得された前記入力情報と合致する条件の実績情報を抽出し、抽出された前記実績情報に含まれる実績価格に基づいて目安価格を算出する算出手順と、
前記条件によって見積価格が変動する商品について、見積請求に必要な全ての入力が行われた段階における最終的な見積価格の前記目安価格が前記ユーザ端末に提示されるように制御を行う第２の提示制御手順と、
を情報処理装置に実行させるプログラム。
【請求項１５】
条件によって価格が変動する商品について、前記条件の入力を求める質問項目がユーザ端末に提示されるように制御を行う第１の提示制御手順と、
前記質問項目に対する入力情報を取得する取得手順と、  
取得された前記入力情報と合致する条件の実績情報を商品提供者ごとに抽出し、抽出された前記実績情報に含まれる実績価格に基づいて前記商品提供者ごとに目安価格を算出する算出手順と、
前記目安価格が前記ユーザ端末に提示されるように制御を行う第２の提示制御手順と、
を情報処理装置に実行させるプログラム。
【請求項１６】
条件によって見積価格が変動する商品について、前記条件の入力を求める質問項目がユーザ端末に提示されるように制御を行う第１の提示制御手順と、
見積算定に必要な一部の前記質問項目に対する入力が行われるごとに前記質問項目に対する入力情報を取得する取得手順と、  
取得された前記入力情報と合致する条件の実績情報を抽出し、抽出された前記実績情報に含まれる実績価格に基づいて目安価格を算出する算出手順と、
前記条件によって見積価格が変動する商品について、見積請求に必要な全ての入力が行われた段階における最終的な見積価格の前記目安価格が前記ユーザ端末に提示されるように制御を行う第２の提示制御手順と、
を情報処理装置に実行させるプログラムを記憶した記憶媒体。
【請求項１７】
条件によって価格が変動する商品について、前記条件の入力を求める質問項目がユーザ端末に提示されるように制御を行う第１の提示制御手順と、
前記質問項目に対する入力情報を取得する取得手順と、  
取得された前記入力情報と合致する条件の実績情報を商品提供者ごとに抽出し、抽出された前記実績情報に含まれる実績価格に基づいて前記商品提供者ごとに目安価格を算出する算出手順と、
前記目安価格が前記ユーザ端末に提示されるように制御を行う第２の提示制御手順と、
を情報処理装置に実行させるプログラムを記憶した記憶媒体。
【手続補正２】
【補正対象書類名】明細書
【補正対象項目名】０００５
【補正方法】変更
【補正の内容】
【０００５】
本発明に係る情報処理装置は、条件によって見積価格が変動する商品について、前記条件の入力を求める質問項目がユーザ端末に提示されるようにする制御と、前記条件によって見積価格が変動する商品について、見積請求に必要な全ての入力が行われた段階における最終的な見積価格の目安価格が前記ユーザ端末に提示されるようにする制御とを行う提示制御部と、見積算定に必要な一部の前記質問項目に対する入力が行われるごとに入力情報を取得する入力情報取得部と、取得された前記入力情報と合致する条件の実績情報を抽出し、抽出された前記実績情報に含まれる実績価格に基づいて前記目安価格を算出する目安価格算出部と、を備える。
また、本発明に係る情報処理装置は、条件によって価格が変動する商品について、前記条件の入力を求める質問項目がユーザ端末に提示されるようにする制御と、前記条件によって価格が変動する商品の目安価格が前記ユーザ端末に提示されるようにする制御とを行う提示制御部と、前記質問項目に対する入力情報を取得する入力情報取得部と、取得された前記入力情報と合致する条件の実績情報を商品提供者ごとに抽出し、抽出された前記実績情報に含まれる実績価格に基づいて前記商品提供者ごとに前記目安価格を算出する目安価格算出部と、を備える。
これにより、ユーザが実際に見積を請求する前に、おおよその目安価格を提示することができる。
【手続補正３】
【補正対象書類名】明細書
【補正対象項目名】００１５
【補正方法】変更
【補正の内容】
【００１５】
本発明に係る情報処理方法は、条件によって見積価格が変動する商品について、前記条件の入力を求める質問項目がユーザ端末に提示されるように制御を行う第１の提示制御ステップと、見積算定に必要な一部の前記質問項目に対する入力が行われるごとに前記質問項目に対する入力情報を取得する取得ステップと、取得された前記入力情報と合致する条件の実績情報を抽出し、抽出された前記実績情報に含まれる実績価格に基づいて目安価格を算出する算出ステップと、前記条件によって見積価格が変動する商品について、見積請求に必要な全ての入力が行われた段階における最終的な見積価格の前記目安価格が前記ユーザ端末に提示されるように制御を行う第２の提示制御ステップと、を備えたものである。
また、本発明に係る情報処理方法は、条件によって価格が変動する商品について、前記条件の入力を求める質問項目がユーザ端末に提示されるように制御を行う第１の提示制御ステップと、前記質問項目に対する入力情報を取得する取得ステップと、取得された前記入力情報と合致する条件の実績情報を商品提供者ごとに抽出し、抽出された前記実績情報に含まれる実績価格に基づいて前記商品提供者ごとに目安価格を算出する算出ステップと、前記目安価格が前記ユーザ端末に提示されるように制御を行う第２の提示制御ステップと、を備えたものである。
この情報処理方法により、情報処理装置によって、商品のおおよその目安価格を見積請求前にユーザに提示することができる。
本発明に係るプログラムは、上記各ステップに相当する手順を情報処理装置に実行させるプログラムである。本発明に係る記憶媒体は、上記プログラムを記憶したものである。これらにより上述の情報処理装置の処理を実現する。
【国際調査報告】
2018051485.tif 000023
2018051485.tif 000024
2018051485.tif 000025
2018051485.tif 000026